(57)【要約】      （修正有）【課題】長尺の直線ケーブルトラフとは異なる形状に形成され異形状ケーブルトラフを支持するトラフ受け台を提供する。【解決手段】トラフ受け台Ｘ１は、トラフ受け本体１を備え、トラフ受け本体１は、一対の底平板２、３、一方の板平面４Ａを載置平面として、Ｔ字分岐ケーブルトラフを載置平面４Ａに載置する載置板体４、側板５を備える。各底平板２、３は、底板長さ及び底板幅を有して、底板幅端２ａ、３ａを対向して配置される。載置板体４は、他方の板平面４Ｂを各底平板２、３の一方の底板平面２Ａ、３Ａに当接して載置され、載置平面４Ａを各底平板２、３の間に配置して、各底平板２、３に固定される。載置平面４Ａは、Ｔ分岐ケーブルトラフの横直線トラフ部のトラフ幅と略同一の面幅を有する。側板５は、載置平面４Ａの面幅方向ＨＸの一方の面幅端ｆａに配置されて、載置板体４に固定される。【選択図】図１
0003232717.tif 000002
【実用新案登録請求の範囲】
【請求項１】
トラフ長さ及びトラフ幅を有する短尺の横直線トラフ部と、前記横直線トラフ部のトラフ幅方向の一方のトラフ側面から突出する短尺の縦直線トラフ部と、から成るＴ字分岐ケーブルトラフを支持するトラフ受け台であって、
底板長さ及び底板幅を有する一対の底平板と、
一方の板平面を載置平面とし、前記Ｔ字分岐ケーブルトラフを前記載置平面に載置する載置板体と、
側板と、を備え、
前記各底平板は、
前記各底平板の底板幅方向の一方の底板幅端を対向して平行に配置され、
前記各底平板の前記底板幅方向の他方の底板幅端の間に、前記横直線トラフ部の前記トラフ長さと同一の底板幅間隔を隔てて平行に配置され、
前記載置板体は、
他方の板平面を前記各底平板の一方の底板平面に当接して配置され、
前記載置平面を前記各底平板の間に配置して、前記各底平板に固定され、
前記載置平面は、
前記各底平板の底板長さ方向に、前記横直線トラフ部の前記トラフ幅と略同一の面幅を有して、前記各底平板の他方の前記底板幅端の間に延在され、
前記側板は、
前記載置平面の面幅方向の一方の面幅端に配置されて、前記載置板体に固定され、
前記載置平面と直交する方向において、前記載置平面から突出して前記載置平面に立設され、
前記各底平板の前記底板幅方向において、前記載置平面の一方の前記面幅端に沿って前記各底平板の間に延在される
ことを特徴とするトラフ受け台。
【請求項２】
四半円環状に形成された４５度曲がりケーブルトラフを支持するトラフ受け台であって、
底板長さ及び底板幅さを有する一対の底平板と、
一方の板平面を載置平面とし、前記４５度曲がりケーブルトラフを前記載置平面に載置する載置板体と、
一対の側板と、を備え、
前記各底平板は、
前記各底平板の底板幅方向の一方の底板幅端を対向し、一方の前記各底板幅端の間に４５度の角度を隔てて配置され、
前記載置板体は、
他方の板平面を前記各底平板の一方の底板平面に当接して配置され、
一方の前記底平板の底板幅方向の底板幅中心線に対して傾斜角度をなして、前記載置平面を前記各底平板の間に配置して、前記各底平板に固定され、
前記載置平面は、
前記傾斜角度で傾斜する方向と直交する方向に面幅を有して、前記各底平板の間に前記傾斜角度で傾斜しつつ延在され、
前記各側板は、
前記載置平面の面幅方向の各面幅端に配置されて、前記載置板体に固定され、
前記載置平面と直交する方向において、前記載置平面から突出して前記載置平面に立設され、
前記載置平面の傾斜する方向において、前記各面幅端に沿って前記各底平板の間に延在される
ことを特徴とするトラフ受け台。
【請求項３】
半円環状に形成された９０度曲がりケーブルトラフを支持するトラフ受け台であって、
底板長さ及び底板幅を有する第１底平板、第２底平板及び第３底平板と、
一方の第１板平面を第１載置平面とし、前記９０度曲がりケーブルトラフの一方の四半円環側を前記第１載置平面に載置する第１載置板体と、
一方の第２板平面を第２載置平面とし、前記９０度曲がりケーブルトラフの他方の四半円環側を前記第２載置平面に載置する第２載置板体と、
第１乃至第４側板と、を備え、
前記第１及び第２底平板は、
前記第１及び第２底平板の底板幅方向の一方の底板幅端を対向し、前記第１及び第２底平板の一方の前記各底板幅端の間に４５度の角度を隔てて配置され、
前記第２及び第３底平板は、
前記第２底平板の底板幅方向の他方の底板幅端、及び前記第３底平板の底板幅方向の一方の底板幅端を対向し、前記第２底平板の他方の底板幅端及び第３底平板の一方の前記底板幅端の間に４５度の角度を隔てて配置され、
前記第１載置板体は、
他方の第１板平面を前記第１及び第２底平板の一方の底板平面に当接して配置され、
前記第１底平板の底板幅方向の底板幅中心線に対して傾斜角度をなして、前記第１載置平面を前記第１及び第２底平板の間に配置して、前記第１及び第２底平板に固定され、
前記第１載置平面は、
前記傾斜角度で傾斜する方向と直交する方向に面幅を有して、前記第１及び第２底平板の間に前記傾斜角度で傾斜しつつ延在され、
前記第２載置板体は、
他方の第２板平面を前記第２及び第３底平板の一方の底板平面に当接して配置され、
前記第２底平板の底板幅方向の底板幅中心線に対して前記傾斜角度をなして、前記第２載置平面を前記第２及び第３底平板の間に配置して、前記第２及び第３底平板に固定され、
前記第２載置平面は、
前記傾斜角度で傾斜する方向と直交する方向に面幅を有して、前記第２及び第３底平板の間に前記傾斜角度で傾斜しつつ延在され、
前記第１及び第２側板は、
前記第１載置平面の面幅方向の各面幅端に配置されて、前記第１載置板体に固定され、
前記第１載置平面と直交する方向において、前記第１載置平面から突出して前記第１載置平面に立設され、
前記第１載置平面の傾斜する方向において、前記第１載置平面の前記各面幅端に沿って前記第１及び第２底平板の間に延在され、
前記第３及び第４側板は、
前記第２載置平面の面幅方向の各面幅端に配置されて、前記第２載置板体に固定され、
前記第２載置平面と直交する方向いおいて、前記第２載置平面から突出して前記第２載置平面に立設され、
前記第２載置平面の傾斜する方向において、前記第２載置平面の前記各面幅端に沿って前記第２及び第３底板平面の間に延在される
ことを特徴とするトラフ受け台。
【請求項４】
トラフ長さ及びトラフ幅を有する第１及び第２直線トラフ部と、勾配トラフ長さ及び勾配トラフ幅さを有し、前記第１及び第２直線トラフ部に対して勾配角度を隔てて前記第１及び第２直線トラフ部のトラフ長さ方向の一方のトラフ長さ端に連結される勾配トラフ部と、からなる勾配ケーブルトラフを支持するトラフ受け台であって、
底板長さ及び底板幅を有する第１底平板、第２底平板、第３底平板及び第４底平板と、
一方の第１板平面を第１載置平面とし、前記第１直線トラフ部を前記第１載置平面に載置する第１載置板体と、
一方の第２板平面を第２載置平面とし、前記第２直線トラフ部を前記第２載置平面に載置する第２載置板体と、
一方の第３板平面を第３載置平面とし、前記勾配トラフ部を前記第３載置平面に載置する第３載置板体と、
第１乃至第６側板と、を備え、
前記第１及び第２底平板は、
前記第１及び第２底平板の底板幅方向の一方の底板幅端を対向して平行に配置され、
前記第１及び第２底平板の前記底板幅方向の他方の底板幅端の間に、前記第１直線トラフ部の前記トラフ長さと同一の第１底板幅間隔を隔てて平行に配置され、
前記第２及び第３底平板は、
前記第２底平板の底板幅方向の他方の底板幅端、及び前記第３底平板の底板幅方向の一方の底板幅端を対向して平行に配置され、
前記第２底平板の前記底板幅方向及び底板長さ方向と直交する方向において、前記第２底平板の他方の前記底板幅端、及び前記第３底平板の一方の前記底板幅端の間に、底板高さ間隔を隔てて配置され、
前記第２底平板の前記底板幅方向において、前記第２底平板の他方の前記底板幅端及び前記第３底平板の一方の前記底板幅端の間に、第２底板幅間隔を隔てて配置され、
前記第３及び第４底平板は、
前記第３底平板の底板幅方向の他方の底板幅端、及び前記第４底板平面の底板幅方向の一方の底板幅端を対向して平行に配置され、
前記第３底平板の一方の前記底板幅端、及び前記第４底平板の底板幅方向の他方の前記底板幅端の間に、前記第２直線トラフ部の前記トラフ長さと同一の第３底板幅間隔を隔てて平行に配置され、
前記第１載置板体は、
他方の第１板平面を前記第１及び第２底平板の一方の底板平面に当接して配置され、
前記第１載置平面を前記第１及び第２底平板の間に配置して、前記第１及び第２底平板に固定され、
前記第１載置平面は、
前記第１底板平面の底板長さ方向に、前記第１直線トラフ部の前記トラフ幅と略同一の面幅を有して、前記第１及び第２底平板の間に延在され、
前記第２載置板体は、
他方の第２板平面を前記第３及び第４底平板の一方の底板平面に当接して配置され、
前記第２載置平面を前記第３及び第４底平板の間に配置して、前記第３及び第４底平板に固定され、
前記第２載置平面は、
前記第３底平板の底板長さ方向に、前記第２直線トラフ部の前記トラフ幅と略同一の面幅を有して、前記第３及び第４底平板の間に延在され、
前記第３載置板体は、
他方の第３板平面を前記第２及び第３底平板の一方の底板平面に向けて配置され、
前記第１載置平面と直交する方向において、前記第１載置平面に対して前記勾配角度をなして、前記第３載置平面を前記第１及び第２載置平面の間に配置して、前記第２及び第３底平板に固定され、
前記第３載置平面は、
前記勾配角度で傾斜する方向に、前記勾配トラフ部の前記勾配トラフ長さと同一の面長さを有し、及び前記勾配角度で傾斜する方向と直交する方向に、前記勾配トラフ部の前記勾配トラフ幅と略同一の面幅を有して、前記第１及び第２載置平面の間に前記勾配角度で傾斜しつつ延在され、
前記第１及び第２側板は、
前記第１載置平面の面幅方向の各面幅端に配置されて、前記第１載置板体に固定され、
前記第１載置平面と直交する方向において、前記第１載置平面から突出して前記第１載置平面に立設され、
前記第１及び第２底平板の前記底板幅方向において、前記第１載置平面の前記各面幅端に沿って前記第１及び第２底平板の間に延在され、
前記第３及び第４側板は、
前記第２載置平面の面幅方向の各面幅端に配置され、前記第２載置板体に固定され、
前記第２載置平面と直交する方向において、前記第２載置平面から突出して前記第２載置平面に立設され、
前記第３及び第４底平板の前記底板幅方向において、前記第２載置平面の前記各面幅端に沿って前記第３及び第４底平板の間に延在され、
前記第５及び第６側板は、
前記第３載置平面の面幅方向の各面幅端に配置され、前記第３載置板体に固定され、
前記第３載置平面と直交する方向において、前記第３載置平面から突出して前記第３載置平面に立設され、
前記第３載置平面の傾斜する方向において、前記第３載置平面の前記各面幅端に沿って前記第２及び第３底平板の間に延在される
ことを特徴とするトラフ受け台。
【考案の詳細な説明】
【技術分野】
【０００１】
本考案は、長尺の直線ケーブルトラフと異なる形状に形成された異形状ケーブルトラフを支持するトラフ受け台に関する。
【背景技術】
【０００２】
ケーブルトラフを支持する技術として、特許文献１は、トラフ支持台を開示する。トラフ支持台は、複数の長尺のトラフ支持部材と、接続部材を備え、各トラフ支持部材を接続部材で接続する。トラフ支持台は、各トラフ支持部材に長尺の直線ケーブルトラフを載置して、各直線ケーブルトラフを支持する。
【先行技術文献】
【特許文献】
【０００３】
【特許文献１】特開２００６−３０４４５４号公報
【考案の概要】
【考案が解決しようとする課題】
【０００４】
特許文献１では、トラフ支持台にて長尺の直線ケーブルトラフを支持できるものの、直線ケーブルトラフと異なる形状に形成された異形状ケーブルトラフを支持できず、ケーブルトラフ内に収納されるケーブルの配線方向を変更して敷設できない。
【０００５】
本考案は、長尺の直線ケーブルトラフと異なる形状に形成された異形状ケーブルトラフであって、Ｔ字分岐ケーブルトラフ、４５度曲がりケーブルトラフ、９０度ケーブルトラフ、勾配ケーブルトラフを支持できるトラフ受け台を提供することにある。
【課題を解決するための手段】
【０００６】
本考案に係る請求項１は、トラフ長さ及びトラフ幅を有する短尺の横直線トラフ部と、前記横直線トラフ部のトラフ幅方向の一方のトラフ側面から突出する短尺の縦直線トラフ部とからなるＴ字分岐ケーブルトラフを支持するトラフ受け台であって、底板長さ及び底板幅を有する一対の底平板と、一方の板平面を載置平面とし、前記Ｔ字分岐ケーブルトラフを前記載置平面に載置する載置板体と、側板とを備え、前記各底平板は、前記各底平板の底板幅方向の一方の底板幅端を対向して平行に配置され、前記各底平板の前記底板幅方向の他方の底板幅端の間に、前記横直線トラフ部の前記トラフ長さと同一の底板幅間隔を隔てて平行に配置され、前記載置板体は、他方の板平面を前記各底平板の一方の底板平面に当接して配置され、前記載置平面を前記各底平板の間に位置して、前記各底平板に固定され、前記載置平面は、前記各底平板の底板長さ方向に、前記横直線トラフ部の前記トラフ幅と略同一の面幅を有して、前記各底平板の他方の前記底板幅端の間に延在され、前記側板は、前記載置平面の面幅方向の一方の面幅端に配置されて、前記載置板体に固定され、前記載置平面と直交する方向において、前記載置平面から突出して前記載置平面に立設され、前記各底平板の前記底板幅方向において、前記載置平面の一方の前記面幅端に沿って前記各底平板の間に延在されることを特徴とするトラフ受け台である。
【０００７】
本考案に係る請求項１によれば、Ｔ字分岐ケーブルトラフを支持でき、Ｔ字分岐ケーブルトラフ内に収納されるケーブルの配線方向を横直線トラフ部、及び横直線トラフ部から縦直線トラフ部の方向に変更できる。
【０００８】
本考案に係る請求項２は、四半円環状に形成された４５度曲がりケーブルトラフを支持するトラフ受け台であって、底板長さ及び底板幅を有する一対の底平板と、一方の板平面を載置平面とし、前記４５度曲がりケーブルトラフを前記載置平面に載置する載置板体と、一対の側板とを備え、前記各底平板は、前記各底平板の底板幅方向の一方の底板幅端を対向し、一方の前記底板幅端の間に４５度の角度を隔てて配置され、前記載置板体は、他方の板平面を前記各底平板の一方の底板平面に当接して配置され、一方の前記底平板の底板幅方向の底板幅中心線に対して傾斜角度をなして、前記載置平面を前記各底平板の間に配置して、前記各底平板に固定され、前記載置平面は、前記傾斜角度で傾斜する方向と直交する方向に面幅を有して、前記各底平板の間に前記傾斜角度で傾斜しつつ延在され、前記各側板は、前記載置平面の面幅方向の各面幅端に配置されて、前記載置板体に固定され、前記載置平面と直交する方向において、前記載置平面から突出して前記載置平面に立設され、前記載置平面の傾斜する方向において、前記各面幅端に沿って前記各底平板の間に延在されることを特徴とするトラフ受け台である。
【０００９】
本考案に係る請求項２によれば、４５度曲がりケーブルトラフを支持でき、４５度曲がりケーブルトラフ内に収納されるケーブルの配線方向を４５度の角度に変更できる。
【００１０】
本考案に係る請求項３は、半円環状に形成された９０度曲がりケーブルトラフを支持するトラフ受け台であって、底板長さ及び底板幅を有する第１底平板、第２底平板及び第３底平板と、一方の第１板平面を第１載置平面とし、前記９０度曲がりケーブルトラフの一方の四半円環側を前記第１載置平面に載置する第１載置板体と、一方の第２板平面を第２載置平面とし、前記９０度曲がりケーブルトラフの他方の四半円環側を前記第２載置平面に載置する第２載置板体と、第１乃至第４側板とを備え、前記第１及び第２底平板は、前記第１及び第２底平板の底板幅方向の一方の底板幅端を対向し、前記第１及び第２底平板の一方の前記底板幅端の間に４５度の角度を隔てて配置され、前記第２及び第３底平板は、前記第２底平板の底板幅方向の他方の底板幅端、及び前記第３底平板の底板幅方向の一方の底板幅端を対向し、前記第２底平板の他方の前記底板幅端及び前記第３底平板の一方の前記底板幅端の間に４５度の角度を隔てて配置され、前記第１載置板体は、他方の第１板平面を前記第１及び第２底平板の一方の底板平面に当接して配置され、前記第１底平板の底板幅方向の底板中心線に対して傾斜角度をなして、前記第１載置平面を前記第１及び第２底平板の間に配置して、前記第１及び第２底平板に固定され、前記第１載置平面は、前記傾斜角度で傾斜する方向と直交する方向に面幅を有して、前記第１及び前記第２底平板の間に前記傾斜角度で傾斜しつつ延在され、前記第２載置板体は、他方の第２板平面を前記第２及び前記第３底平板の一方の底板平面に当接して配置され、前記第２底平板の底板幅方向の底板幅中心線に対して前記傾斜角度をなして、前記第２載置平面を前記第２及び第３底平板の間に配置して、前記第２及び第３底平板に固定され、前記第２載置平面は、前記傾斜角度で傾斜する方向と直交する方向に面幅を有して、前記第２及び第３底平板の間に前記傾斜角度で傾斜しつつ延在され、前記第１及び第２側板は、前記第1載置平面の面幅方向の各面幅端に配置されて、前記第１載置板体に固定され、前記第１載置平面と直交する方向において、前記第１載置平面から突出して前記第１載置平面に立設され、前記第１載置平面の傾斜する方向において、前記第１載置平面の各面幅端に沿って前記第１及び第２底平板の間に延在され、前記第３及び第４側板は、前記第２載置平面の面幅方向の各面幅端に配置されて、前記第２載置板体に固定され、前記第２載置平面と直交する方向において、前記第２載置平面から突出して前記第２載置平面に立設され、前記第２載置平面の傾斜する方向において、前記第２載置平面の各面幅端に沿って前記第２及び第３底平板の間に延在されることを特徴とするトラフ受け台である。
【００１１】
本考案に係る請求項３によれば、９０度曲がりケーブルトラフを支持でき、９０度曲がりケーブルトラフ内に収納されるケーブルの配線方向を９０度の角度に変更できる。
【００１２】
本考案に係る請求項４は、トラフ長さ及びトラフ幅を有する第１及び第２トラフ部と、勾配トラフ長さ及び勾配トラフ幅を有し、前記第１及び第２直線トラフ部に対して勾配角度を隔てて前記第１及び第２直線トラフ部のトラフ長さの一方のトラフ長さ端に連結される勾配トラフ部とからなる勾配ケーブルトラフを支持するトラフ受け台であって、底板長さ及び底板幅を有する第１底平板、第２底平板、第３底平板及び第４底平板と、一方の第１板平面を第１載置平面とし、前記第１直線トラフ部を前記第１載置平面に載置する第１載置板体と、一方の第２板平面を第２載置平面とし、前記第２直線トラフ部を前記第２載置平面に載置する第２載置板体と、一方の第３板平面を第３載置平面とし、前記勾配トラフ部を前記第３載置平面に載置する第３載置板体と、第１乃至第６側板とを備え、前記第１及び第２底平板は、前記第１及び第２底平板の底板幅方向の一方の底板幅端を対向して平行に配置され、前記第１及び第２底平板の底板幅方向の他方の底板幅端の間に、前記第１直線トラフ部の前記トラフ長さと同一の第１底板幅間隔を隔てて平行に配置され、前記第２及び第３底平板は、前記第２底平板の底板幅方向の他方の底板幅端、及び前記第３底平板の底板幅方向の一方の底板幅端を対向して平行に配置され、前記第２底平板の前記底板幅方向及び底板長さ方向と直交する方向において、前記第２底平板の他方の前記底板幅端、及び前記第３底平板の一方の前記底板幅端の間に、底板高さ間隔を隔てて配置され、前記台２底平板の前記底板幅方向において、前記第２底平板の他方の前記底板幅端及び前記第３底平板の一方の前記底板幅端の間に、第２底板幅間隔を隔てて配置され、前記第３及び第４底平板は、前記第３底平板の他方の前記底板幅端、及び前記第４底平板の底板幅方向の一方の底板幅端を対向して平行に配置され、前記第３底平板の一方の前記底板幅端及び第４底平板の底板幅方向の他方の底板幅端の間に、前記第２直線トラフ部の前記トラフ長さと同一の第３底板幅間隔を隔てて平行に配置され、前記第１載置板体は、他方の第１板平面を前記第１及び第２底平板の一方の底板平面に当接して配置され、前記第１載置平面を前記第及び第２底平板に固定され、前記第１載置平面は、前記第１底平板の底板長さ方向に、前記第１直線トラフ部の前記トラフ幅と略同一の面幅を有して、前記第１及び第２底平板の間に延在され、前記第２載置板体は、他方の前記第２板平面を前記第３及び第4底平板の一方の底板平面に当接して配置され、前記第２載置平面を前記第３及び第４底平板の間に配置して、前記第３及び第４底平板に固定され、前記第２載置平面は、前記第３底平板の底板長さ方向に、前記第２直線トラフ部の前記トラフ幅と略同一の面幅を有して、前記第３及び第４底平板の間に延在され、前記第３載置板体は、他方の第３板平面を前記第２及び第３平板の一方の底板平面に向けて配置され、前記第１載置平面と直交する方向において、前記第１載置平面に対して前記勾配角度をなして、前記第３載置平面を前記第１及び前記第２載置平面の間に配置して、前記第２及び第３底平板に固定され、前記第３載置平面は、前記勾配角度で傾斜する方向に、前記勾配トラフ部の前記勾配トラフ長さと同一の��長さを有し、及び前記勾配角度で傾斜する方向と直交する方向に、前記勾配トラフ部の前記勾配トラフ幅と略同一の面幅を有して、前記第１及び第２載置平面の間に前記勾配角度で傾斜しつつ延在され、前記第１及び第２側板は、前記第１載置平面の面幅方向の各面端に配置されて、前記第１載置板体に固定され、前記第１載置平面と直交する方向において、前記第１載置平面から突出して前記第１載置平面に立設され、前記第１及び第２底平板の前記底板幅方向において、前記第１載置平面の前記各面幅端に沿って前記第１及び第２底平板の間に延在され、前記第３及び第４側板は、前記第２載置平面の面幅方向の各面端に配置されて、前記第２載置板体に固定され、前記第２載置平面と直交する方向において、前記第２載置平面から突出して前記第２載置平面に立設され、前記第３及び第４底平板の前記底板幅方向において、前記第２載置平面の前記各面幅端に沿って前記第３及び第４底平板の間に延在され、記第５及び第６側板は、前記第３載置平面の面幅方向の各面端に配置されて、前記第３載置板体に固定され、前記第３載置平面と直交する方向において、前記第３載置平面から突出して前記第３載置平面に立設され、前記第３載置平面の傾斜する方向において、前記第３載置平面の前記各面幅端に沿って前記第２及び第３底平板の間に延在されることを特徴とするトラフ受け台である。
【００１３】
本考案に係る請求項４によれは、勾配ケーブルトラフを支持でき、勾配ケールトラフ内に収納されるケーブルの配線方向を勾配角度に変更できる。
【考案の効果】
【００１４】
本考案は、長尺の直線ケーブルトラフと異なる異形状ケーブルトラフを支持できる。
【図面の簡単な説明】
【００１５】
【図１】第１実施形態のトラフ受け台（分岐トラフ受け台）を示す斜視図である。
【図２】第１実施形態のトラフ受け台を示す平面図（上面図）である。
【図３】第１実施形態のトラフ受け台を示す正面図である。
【図４】第１実施形態のトラフ受け台を示す右側面図である。
【図５】第１実施形態のトラフ受け台を示す図であって、載置平面（載置板体）にＴ字分岐ケーブルトラフを載置した平面図（上面図）である。
【図６】第１実施形態のトラフ受け台を示す図であって、載置平面（載置板体）にＴ字分岐ケーブルトラフを載置した正面図である。
【図７】第１実施形態のトラフ受け台を示す図であって、載置平面（載置板体）にＴ字分岐ケーブルトラフを載置した左側面図である。
【図８】トラフ敷設箇所において、各トラフ支持器具、第１実施形態のトラフ受け台、第１乃至第３直線トラフ受け台を示す平面図（上面図）である。
【図９】トラフ敷設箇所において、各トラフ支持器具、第１実施形態のトラフ受け台、第１乃至第３直線トラフ受け台を示す正面図である。
【図１０】トラフ敷設箇所において、各直線ケーブルトラフを第１乃至第３直線トラフ受け台で支持し、Ｔ字分岐ケーブルトラフを第１実施形態のトラフ受け台で支持した平面図（上面図）である。
【図１１】トラフ敷設箇所において、各直線ケーブルトラフを第１乃至第３直線トラフ受け台で支持し、Ｔ字分岐ケーブルトラフを第１実施形態のトラフ受け台で支持した左側面図である。
【図１２】第２実施形態のトラフ受け台（４５度曲がりトラフ受け台）を示す斜視図である。
【図１３】第２実施形態のトラフ受け台を示す平面図（上面図）である。
【図１４】第２実施形態のトラフ受け台を示す左側面図である。
【図１５】第２実施形態のトラフ受け台を示す右側面図である。
【図１６】第２実施形態のトラフ受け台を示す図であって、載置平面（載置板体）に４５度曲がりケーブルトラフを載置した平面図（上面図）である。
【図１７】第２実施形態のトラフ受け台を示す図であって、載置平面（載置板体）に４５度曲がりケーブルトラフを載置した左側面図である。
【図１８】第２実施形態のトラフ受け台を示す図であって、載置平面（載置板体）に４５度曲がりケーブルトラフを載置した右側面図である。
【図１９】トラフ敷設箇所において、各トラフ支持器具、第２実施形態のトラフ受け台、第１及び第２直線トラフ受け台を示す平面図（上面図）である。
【図２０】トラフ敷設箇所において、各トラフ支持器具、第２実施形態のトラフ受け台、第１及び第２直線トラフ受け台を示す正面図である。
【図２１】トラフ敷設箇所において、各直線ケーブルトラフを第１及び第２直線トラフ受け台で支持し、４５度曲がりケーブルトラフを第２実施形態のトラフ受け台で支持した平面図（上面図）である。
【図２２】トラフ敷設箇所において、各直線ケーブルトラフを第１及び第２直線トラフ受け台で支持し、４５度曲がりケーブルトラフを第２実施形態のトラフ受け台で支持した左側面図である。
【図２３】第３実施形態のトラフ受け台（９０度曲がりトラフ受け台）を示す斜視図である。
【図２４】第３実施形態のトラフ受け台を示す平面図（上面図）である。
【図２５】第３実施形態のトラフ受け台を示す左側面図である。
【図２６】第３実施形態のトラフ受け台を示す右側面図である。
【図２７】図２４の一部拡大図であって、第１及び第２底平板、及び第１載置板体を示す平面図（上面図）である。
【図２８】図２４の一部拡大図であって、第２及び第３底平板、及び第２載置板体を示す平面図である。
【図２９】第３実施形態のトラフ受け台を示す図であって、第１及び第２載置平面（第１及び第２載置板体）に９０度曲がりケーブルトラフを載置した平面図（上面図）である。
【図３０】第３実施形態のトラフ受け台を示す図であって、第１及び第２載置平面（第１及び第２載置板体）に９０度曲がりケーブルトラフを載置した左側面図である。
【図３１】第３実施形態のトラフ受け台を示す図であって、第１及び第２載置平面（第１及び第２載置板体）に９０度曲がりケーブルトラフを載置した右側面図である。
【図３２】トラフ敷設箇所において、各トラフ支持器具、第３実施形態のトラフ受け台、第１及び第２直線トラフ受け台を示す平面図（上面図）である。
【図３３】トラフ敷設箇所において、各トラフ支持器具、第３実施形態のトラフ受け台、第１及び第２直線トラフ受け台を示す正面図である。
【図３４】トラフ敷設箇所において、各直線ケーブルトラフを第１及び第２直線トラフ受け台で支持し、９０度曲がりケーブルトラフを第３実施形態のトラフ受け台で支持した平面図（上面図）である。
【図３５】トラフ敷設箇所において、各直線ケーブルトラフを第１及び第２直線トラフ受け台で支持し、９０度曲がりケーブルトラフを第３実施形態のトラフ受け台で支持した左側面図である。
【図３６】第４実施形態のトラフ受け台（勾配トラフ受け台）を示す斜視図である。
【図３７】第４実施形態のトラフ受け台を示す平面図（上面図）である。
【図３８】第４実施形態のトラフ受け台を示す図であって、主として、上勾配トラフ受け本体を示す正面図である。
【図３９】第４実施形態のトラフ受け台を示す左側面図である。
【図４０】第４実施形態のトラフ受け台を示す右側面図である。
【図４１】図３７の一部拡大図であって、上勾配トラフ受け本体を示す平面図（上面図）である。
【図４２】図３７の一部拡大図であって、下勾配トラフ受け本体を示す平面図（下面図）である。
【図４３】第４実施形態のトラフ受け台を示す図であって、主として、下勾配トラフ受け本体を示す正面図である。
【図４４】図３８のＡ−Ａ断面図である。
【図４５】図３８のＢ―Ｂ断面図である。
【図４６】第４実施形態のトラフ受け台を示す図であって、第１乃至第３載置平面（第１乃至第３載置板体）に勾配ケーブルトラフを載置した正面図である。
【図４７】第４実施形態のトラフ受け台を示す図であって、第１乃至第３載置平面（第１乃至第３載置板体）に勾配ケーブルトラフを載置した左側面図である。
【図４８】第４実施形態のトラフ受け台を示す図であって、第１乃至第３載置平面（第１乃至第３載置板体）に勾配ケーブルトラフを載置した右側面図である。
【図４９】トラフ敷設箇所において、各トラフ支持器具、第４実施形態のトラフ受け台、各直線トラフ受け台を示す平面図（上面図）である。
【図５０】トラフ敷設箇所において、各トラフ支持器具、第４実施形態のトラフ受け台、各直線トラフ受け台を示す正面図である。
【図５１】トラフ敷設箇所において、各直線ケーブルトラフを各直線トラフ受け台で支持し、勾配ケーブルトラフを第４実施形態のトラフ受け台で支持した平面図（上面図）である。
【図５２】トラフ敷設箇所において、各直線ケーブルトラフを各直線トラフ受け台で支持し、勾配ケーブルトラフを第４実施形態のトラフ受け台で支持した正面図である。
【図５３】トラフ敷設箇所において、各直線ケーブルトラフを各直線トラフ受け台で支持し、勾配ケーブルトラフを第４実施形態のトラフ受け台で支持した左側面図である。
【考案を実施するための形態】
【００１６】
本考案に係る第１乃至第４実施形態のトラフ受け台（トラフ支持台）について、図１乃至図５３を参照して説明する、
【００１７】
第１実施形態のトラフ受け台について、図１乃至図１１を参照して説明する。
【００１８】
図１乃至図１１において、第１実施形態のトラフ受け台Ｘ１（以下、「トラフ受け台Ｘ１」という）は、Ｔ字分岐ケーブルトラフＹ１を支持する。トラフ受け台Ｘ１は、分岐トラフ受け台（分岐トラフ支持台）である。
トラフ受け台Ｘ１（トラフ支持台）は、トラフ受け本体１（分岐トラフ受け本体）を備える。
【００１９】
Ｔ字分岐ケーブルトラフＹ１は、図５乃至図７に示すように、Ｔ字状（平面視Ｔ字状）に形成される。Ｔ字分岐ケーブルトラフＹ１は、ケーブル（図示しない）を収納する。Ｔ字分岐ケーブルトラフＹ１は、短尺の横直線トラフ部１２１、及び短尺の縦直線トラフ部１２２からなる。各直線トラフ部１２１，１２２は、トラフ幅Ｔｗ及びトラフ高Ｔｈさを有する断面四角形の筒状に形成される。横直線トラフ部１２１は、トラフ長さＴｌを有する。縦直線トラフ部１２２は、横直線トラフ部１２１のトラフ長さ方向ＣＢの中央に配置される。縦直線トラフ部１２２は、横直線トラフ部１２１のトラフ幅方向ＣＡの一方のトラフ側面１２１Ａからトラフ幅方向ＣＡに突出して、横直線トラフ部１２１と一体に形成される。
【００２０】
トラフ受け本体１（トラフ受け台Ｘ１）は、図１乃至図４に示すように、複数（一対）の底平板２，３、載置板体４、側板５（側平板）、及び複数の連結平板６，７，８，９を備える。
【００２１】
各底平板２，３は、図２に示すように、例えば、底板長さＬ１及び底板幅Ｈ１を有する矩形状に形成される。
各底平板２，３は、図１乃至図４に示すように、各底平板２，３の底板幅方向ＨＷ（以下、「底板幅方向ＨＷ」という）の一方の底板幅端２ａ，３ａ（底板幅端面）を対向（対峙）して平行に配置される。
各底平板２，３は、図１乃至図４に示すように、底板幅方向ＨＷ（Ｘ方向）の他方の底板幅端２ｂ，３ｂの間に、底板幅間隔ＨＰを隔てて平行に配置される。
底板幅間隔ＨＰは、例えば、横直線トラフ部１２１のトラフ長さＴｌと同一の幅間隔である。
【００２２】
載置板体４は、図１乃至図４に示すように、１又は複数の平板で構成され、一対の板平面４Ａ，４Ｂを有し、一方の板平面４Ａを載置平面（以下、「載置平面４Ａ」という）とする。載置板体４は、図５乃至図７に示すように、Ｔ字分岐ケーブルトラフＹ１を載置平面４Ａに載置する。
【００２３】
載置板体４は、図１乃至図４に示すように、他方の板平面４Ｂを各底平板２，３の一方の底板平面２Ａ，３Ａに当接して配置される。
載置板体４は、図１乃至図４に示すように、載置平面４Ａ（一方の板平面）を各底平板２，３の間に配置して、各底平板２，３に固定される。載置板体４は、底平板２の底板幅方向ＨＷの底板幅中心線ａと直交して、載置平面４Ａを各底平板２，３の間に配置する。
載置板体４は、各底平板２，３の底板長さ方向ＬＷ（Ｙ方向）の各底板長さ端２ｃ，３ｃ，３ｄ，４ｄ（底板長さ端面）に底板長さ間隔ＬＰを隔てて配置される。
これにより、各底平板２，３は、各底平板２，３の底板長さ方向ＬＷにおいて、載置板体４（載置平面４Ａ）から突出して配置される。
【００２４】
載置平面４Ａ（載置板体４）は、図１乃至図４に示すように、各底平板２，３の底板長さ方向ＬＷ（以下、「底板長さ方向ＬＷ」という）に面幅ＦＨ（載置板幅）を有する。載置平面４Ａは、各底平板２，３の底板幅中心線ａと直交して、各底平板２，３の他方の各底板幅端２ｂ，３ｂの間に延長される。
載置板体４の面幅ＦＨは、例えば、横直線トラフ部１２１のトラフ幅Ｔｗと略同一の幅であって、トラフ幅Ｔｗより僅かに大きい幅である。
なお、底板長さ方向ＬＷ（Ｙ方向）は、底板幅方向ＨＷ（Ｘ方向）と直交する方向である。
【００２５】
載置板体４は、図１乃至図４に示すように、例えば、複数（一対）の載置平板１１，１２を有して構成される。
【００２６】
各載置平板１１，１２は、図１乃至図４に示すように、例えば、載置板長さＬ２及び載置板幅Ｈ２を有する矩形状に形成される。載置板長さＬ２は、例えば、横直線トラフ部１２１のトラフ長さＴｌ（底板幅間隔ＨＰ）と同一の板長さである。
各載置平板１１，１２は、一対の載置板平面１１Ａ，１２Ａ，１１Ｂ，１２Ｂを有し、一方の載置板平面１１Ａ，１２Ａを載置平面４Ａとする。
各載置平板１１，１２は、図１乃至図４に示すように、各載置平板１１，１２の載置板幅方向ＨＸ（以下、「載置板幅方向ＨＸ」という）の一方の載置板幅端１１ａ，１２ａ（載置板幅端面）を対向（対峙）して平行に配置される。各載置平板１１，１２は、一方の載置板幅端１１ａ，１２ａに載置板幅間隔ＨＱを隔てて平行に配置される。
載置板幅間隔ＨＱは、例えば、横直線トラフ部１２１のトラフ幅Ｔｗの半分より小さい間隔である。
【００２７】
各載置平板１１，１２は、図１乃至図４に示すように、他方の載置板平面１１Ｂ，１２Ｂを各底平板２，３の一方の底板平面２Ａ，３Ａに当接して平行に配置される。各載置平板１１，１２は、各底平板２，３に固定される。
各載置平板１１，１２は、載置板幅方向ＨＸの載置板中心線ｂを各底平板２，３の底板幅中心線ａに直交して、各底平板２，３の間に配置される。
各載置平板１１，１２は、各底平板２，３の底板幅方向ＨＷに延在されて、各底平板２，３の他方の底板幅端２ｂ，３ｂの間に配置される。
各載置平板１１，１２は、図１乃至図４に示すように、載置板幅方向ＨＸ（Ｙ方向）の他方の載置板幅端１１ｂ，１２ｂの間に面幅ＦＨを有して、一方の載置平面１１Ａ，１２Ａにて載置平面４Ａを構成する。
【００２８】
載置平板１１は、図１、図２及び図４に示すように、各底平板２，３の一方の底板長さ端２ｃ，３ｃ（底板長さ端面）に底板長さ間隔ＬＰを隔てて配置される。
載置平板１２は、各底平板２，３の他方の底板長さ端２ｄ，３ｄ（底板長さ端面）に底長さ間隔を隔てて配置される。
これにより、各底平板２，３は、底板長さ方向ＬＷにおいて、各載置平板１１，１２の載置板幅方向ＨＸの他方の載置板幅端１１ｂ，１２ｂ（載置板幅端面）から突出して配置される。
【００２９】
側板５（側平板）は、図１乃至図４に示すように、載置板体４の載置板幅方向ＨＸの一方の載置板幅端（載置板幅端面）であって、載置平面４Ａの面幅方向ＨＸの一方の面幅端ｆａ（面幅端面）に配置されて、載置板体４に固定される。側板５は、載置平面４Ａと直交する方向（Ｚ方向）において、載置平面４Ａから突出して載置平面４Ａ（載置板体４）に立設される。側板５は、底板幅方向ＨＷ（Ｘ方向）において、一方の面幅端ｆａ（一方の載置板幅端）に沿って各底平板２，３の間に延在される。
【００３０】
側板５は、図１乃至図４に示すように、例えば、載置平板１１の他方の載置板幅端１１ｂに配置されて、載置平板１１と一体に形成される。側板５は、一方の載置平面１１Ａ（載置平面４Ａ）と直交する方向（Ｚ方向）において、一方の載置板平面１１Ａから突出して載置平板１１に立設される。側板５は、各底平板２，３の底板幅方向ＨＷ（Ｘ方向）において、載置平板１１の他方の載置板幅端１１ｂ（載置板幅端面）に沿って各底平板２，３の間に延在される。
【００３１】
各連結平板６，７は、図１乃至図４に示すように、一方の底平板２に配置される。連結平板６は、底平板２の他方の底板長さ端２ｄ（底板長さ端面）及び載置板体４の載置板幅方向ＨＸの他方の載置板幅端ｆｂ（載置平板１２の他方の載置板幅端１２ｂ）の間に配置される。連結平板７は、底平板２の一方の底板長さ端２ｃ及び載置板体４の載置板幅方向ＨＸの一方の載置板幅端ｆａ（載置平板１１の他方の載置板幅端１２ｂ、側板５）の間に配置される。各連結平板６，７は、底平板２の他方の底板幅端２ｂに配置されて、底平板２に固定される。各連結平板６，７は、一方の連結板平面６Ａ，７Ａを底板幅方向ＨＷの他方の底板幅端２ｂ側に向けて、他方の底板幅端２ｂ（底板幅端面）と面一にして配置される。
各連結平板６，７は、底平板２の一方の底板平面２Ａと直交する方向（Ｚ方向）において、一方の底板平面２Ａから突出して底平板２に立設される。
【００３２】
各連結平板８，９は、図１乃至図４に示すように、他方の底平板３に配置される。連結平板８は、底平板３の他方の底板長さ端３ｄ（底板長さ端面）及び載置板体４の他方の載置板幅端ｆｂ（載置平板１２の他方の載置板幅端１２ｂ）の間に配置される。連結平板９は、底平板３の一方の底板長さ端３ｃ及び載置板体４の一方の載置板幅端ｆａ（載置平板１１の他方の載置板幅端１１ｂ、側板５）の間に配置される。各連結平板８，９は、底平板３の他方の底板幅端３ｂに配置されて、底平板３に固定される。各連結平板８，９は、一方の連結板平面８Ａ，９Ａを底板幅方向ＨＷの他方の底板幅端３ｂ側に向けて、各連結板平面８Ａ，９Ａを他方の底板幅端２ｂ（底板幅端面）と面一にして配置される。
各連結平板８，９は、底平板３の一方の底板平面３Ａと直交する方向（Ｚ方向）において、一方の底板平面３Ａから突出して底平板３に立設される。
【００３３】
トラフ受け台Ｘ１は、図５乃至図７に示すように、Ｔ字分岐ケーブルトラフＹ１を載置平面４Ａに載置して、Ｔ字分岐ケーブルトラフＹ１を支持する。
【００３４】
トラフ受け台Ｘ１は、図５及び図７に示すように、横直線トラフ部１２１を側板５及び載置平面４Ａの他方の面幅端ｆｂ（載置平板１２の他方の載置板幅端１２ｂ）の間に位置して、横直線トラフ部１２１を載置平面４Ａ（各載置板平面１１Ａ，１２Ａ）に載置する。
横直線トラフ部１２１は、トラフ幅方向ＣＡの他方のトラフ側面１２１Ｂを側板５に向けて、側板５及び載置平面４Ａの他方の面幅端ｆｂ（載置平板１２の他方の載置板幅端１２ｂ）の間に配置されて、載置平面４Ａ（各載置板平面１１Ａ，１２Ａ）に載置される。
トラフ受け台Ｘ１は、横直線トラフ部１２１のトラフ底面１２１Ｃを載置平面４Ａ（各載置板平面１１Ａ，１２Ａ）に当接して、横直線トラフ部１２１を載置平面４Ａ（各載置板平面１１Ａ，１２Ａ）に載置する。
【００３５】
トラフ受け台Ｘ１は、図５乃至図７に示すように、横直線トラフ部１２１のトラフ長さ方向ＣＢの各トラフ長さ端面１２１ａ，１２１ｂを各底平板２，３の他方の底板幅端２ｂ，３ｂ（底板幅端面）に面一に配置して、横直線トラフ部１２１を載置平面４Ａ（各載置板平面１１Ａ，１２Ａ）に載置する。
これにより、Ｔ字分岐ケーブルトラフＹ１は、図５乃至図７に示すように、各底平板２，３の底板幅方向ＨＷ（トラフ長さ方向ＣＢ）において、縦直線トラフ部１２２を各底平板２，３の間の中央に配置して、横直線トラフ部１２１を載置平面４Ａ（各載置板平面１１Ａ，１２Ａ）に載置して、トラフ受け台Ｘ１にて支持される。
【００３６】
図８乃至図１１において、トラフ受け台Ｘ１（Ｔ字分岐トラフ受け台）は、複数のトラフ支持器具Ｚ、複数の直線トラフ受け台ＸＳと共に、複数の長尺の直線ケーブルトラフＹＳ及びＴ字分岐ケーブルトラフＹ１をトラフ敷設箇所ＳＯに敷設するために使用される。
複数の長尺の直線ケーブルトラフＹＳ及びＴ字分岐ケーブルトラフＹ１を敷設する箇所ＳＯ（場所）は、例えば、鉄道線路の側方である。
【００３７】
複数のトラフ支持器具Ｚは、図８及び図９に示すように、鉄道線路に沿った直線Ｌａ上に各トラフ支持器具Ｚの間に間隔を隔てて敷設箇所ＳＯに設置され、及び直線Ｌａと直交する直線Ｌｂ上に各トラフ支持器具Ｚの間に間隔を隔てて敷設箇所ＳＯに並設して設置されて、敷設箇所ＳＯに固定される。
各トラフ支持器具Ｚは、Ｔ字状に配置されて、敷設箇所ＳＯに固定される。
【００３８】
各直線トラフ受け台ＸＳは、図８及び図９に示すように、断面コ字状に形成されて、底面に載置平面Ｕを有する。各直線トラフ受け台ＸＳは、Ｔ字状に配置されて、各トラフ支持器具Ｚ上に載置される。各直線トラフ受け台ＸＳは、ホルト／ナットによって各トラフ支持器具Ｚに固定される。複数の直線トラフ受け台Ｚのうち、第１及び第２直線トラフ受け台ＸＳ１，ＸＳ２は、鉄道線路に沿った直線Ｌａの方向に延在されて、一方のトラフ長さ端Ｚａ，Ｚａの間に底板幅間隔ＨＰを隔てて並設される。複数の直線トラフ受け台ＸＳのうち、第３直線トラフ受け台ＸＳ３は、第１及び第２直線トラフ受け台ＸＳ１，ＸＳ２の間（底板幅間隔ＨＰ）に配置されて、第１及び第２直線トラフ受け台ＸＳ１，ＸＳ２と直交する直線Ｌｂの方向に延在される。第１乃至第３直線トラフ受け台ＸＳ１，ＸＳ２，ＸＳ３は、各トラフ支持器具Ｚに架設され、及び各トラフ支持器具Ｚで支持されて、各トラフ支持器具Ｚにボルト／ナットによって固定される。
【００３９】
トラフ受け台Ｘ１は、図８及び図９に示すように、各底平板２，３を第１及び第２直線トラフ受け台ＸＳ１，ＸＳ２の一方のトラフ長さ端Ｚａ，Ｚａに隣接して、第１及び第２直線トラフ受け台ＸＳ１，ＸＳ２の間の底板幅間隔ＨＰに配置される。トラフ受け台Ｘ１は、各底平板２，３を各トラフ支持器具Ｚ上に載置して、第１及び第２直線トラフ受け台ＸＳ１，ＸＳ２に隣接して配置される。トラフ受け台Ｘ１は、各底平板２，３をボルト／ナットによって各トラフ支持器具Ｚに固定して、各トラフ支持器具Ｚに支持される。
トラフ受け台Ｘ１は、図８に示すように、各連結平板６，７を第１直線トラフ受け台ＸＳ１のトラフ長さ端Ｚａの各連結平板ＰＬ，ＰＬに当接して、各連結平板６，７，ＰＬ，ＰＬをボルト／ナットにて締付けて、第１直線トラフ受け台ＸＳ１に連結される。トラフ受け台Ｘ１は、各連結平板８，９を第２直線トラフ受け台ＸＳ２のトラフ長さ端Ｚａの各連結平板ＰＬ，ＰＬに当接して、各連結平板８，９，ＰＬ，ＰＬをボルト／ナットで締付けて、第２直線トラフ受け台ＸＳ２に連結される。
【００４０】
各直線ケーブルトラフＹＳは、Ｔ字分岐ケーブルトラスＹ１と同一のトラフ幅及びトラフ高さを有する断面四角形に形成される。
各直線ケーブルトラフＹＳは、図１０及び図１１に示すように、第１乃至第３直線トラフ受け台ＸＳ１，ＸＳ２，ＸＳ３の載置平面Ｕに載置されて、第１乃至第３直線トラフ受け台ＸＳ１，ＸＳ２，ＸＳ３にて支持される。
【００４１】
Ｔ字分岐ケーブルトラフＹ１は、図５乃至図７で説明したと同様に、トラフ受け台Ｘ１の載置平面４Ａ（各載置板平面１１Ａ，１２Ａ）に載置されて、トラフ受け台Ｘ１で支持される（図１０及び図１１参照）。
トラフ受け台Ｘ１に支持したＴ字分岐ケーブルトラフＹ１は、横直線トラフ部１２１を第１及び第２直線トラフ受け台ＸＳ１，ＸＳ２で支持した各直線ケーブルトラフＹＳに連結し、及び縦直線トラフ部１２２を第３直線トラフ受け台ＸＳ３支持した直線ケーブルトラフＹＳに連結して配置される。
これにより、各直線ケーブルトラフＸＳ、及びＴ字分岐ケーブルトラフＹ１を連結して、敷設箇所ＳＯに敷設できる。
連結した各直線ケーブルトラフＹＳ、及びＴ字分岐ケーブルトラフＹ１内には、ケーブル（図示しない）が収納される。ケーブルは、例えば、第１直線トラフ受け台ＸＳ１上の直線ケーブルトラフＹＳ内から分岐トラフ受け台Ｘ１上のＴ字分岐ケーブルトラフＸ１内に挿入され、横直線トラフ部１２１及び縦直線トラフ部１２２で分岐されて、第２及び第３直線トラフ受け台ＸＳ２，ＸＳ３上の各直線ケーブルトラフＹＳ内に挿入される。
【００４２】
第２実施形態のトラフ受け台について、図１２乃至図２２を参照して説明する。
なお、図１２乃至図２２において、図１乃至図１１と同一符号は、同一部材、同一構成であるので、その詳細な説明は省略する。
【００４３】
図１２乃至図２２において、第２実施形態のトラフ受け台Ｘ２（以下、「トラフ受け台Ｘ２」という）は、四半円環状に形成された４５度曲がりケーブルトラフＹ２を支持する。トラフ受け台Ｘ２は、４５度曲がりトラフ受け台（４５度曲がりトラフ支持台）である。
トラフ受け台Ｘ２（トラフ支持台）２は、トラフ受け本体２１（４５度曲がりトラフ受け本体）を備える。
【００４４】
４５度曲がりケーブルトラフＹ２は、図１６乃至図１８に示すように、四半円環状（平面視四半円環状）に形成される。４５度曲がりケーブルトラフＹ２は、ケーブルを収納する。４５度曲がりケーブルトラフＹ２は、中心点ｃを中心とする４５度の中心角θを有して四半円環状に形成される。４５度曲がりケーブルトラフＹ２は、中心点ｃから外周半径Ｒ１の四半円形の外周側面１２５、及び中心点ｃから内周半径ｒ１の四半円形の内周側面１２６を有する。４５度曲がりケーブルトラフＹ２は、外周側面１２５及び内周側面１２６の間のトラフ幅Ｔｗと、トラフ幅方向と直交するトラフ高さＴｈを有する断面四角形の筒状に形成される。  
【００４５】
トラフ受け本体２１（トラフ受け台Ｘ２）は、図１２乃至図１５に示すように、複数（一対）の底平板２２，２３、載置板体２４（傾斜載置板体）、複数（一対）の側板２５，２６（側平板）、及び複数の連結平板２７，２８，２９，３０を備える。
【００４６】
各底平板２２，２３（第１及び第２底平板）は、図１２乃至図１５に示すように、例えば、底板長さL３及び底板幅Ｈ３を有する矩形状に形成される。
各底平板２２，２３は、図１２乃至図１５に示すように、各底平板２２，２３の底板幅方向ＨＷ（以下、「底板幅方向ＨＷ」という）の一方の底板幅端２２ａ，２３ａ（底板幅端面）を対向（対峙）して配置される。
各底平板２２，２３は、図１３に示すように、一方の各底板幅端２２ａ，２３ａの間に４５度の角度θを隔てて配置される。底平板２３は、底平板２２の底板幅方向ＨＷの底板幅中心線ｄに対して４５度の角度θを隔てて傾斜される。
【００４７】
載置板体２４（第１載置板体）は、図１２乃至図１５に示すように、１又は複数の平板で構成され、一対の板平面２４Ａ，２４Ｂを有し、一方の板平面２４Ａを載置板平面（以下、「載置平面２４Ａ」という）とする。載置板体２４は、図１６乃至図１８に示すように、４５度曲がりケーブルトラフＹ２を載置平面２４Ａ（傾斜載置板平面）に載置する。
【００４８】
載置板体２４は、図１２乃至図１５に示すように、他方の板平面２４Ｂを各底平板２２，２３の一方の底板平面２２Ａ，２３Ａに当接して配置される。
載置板体２４は、図１２乃至図１５示すように、載置平面２４Ａ（一方の板平面）を各底平板２２，２３の間に配置して、各底平板２２，２３に固定される。
載置板体２４（載置平面２４Ａ）は、図１３に示すように、一方の底平板２２の底板幅中心線ｄに対して傾斜角度θ１を隔てて傾斜される。載置板体２４は、一方の底平板２２の板幅中心線ｄに対して傾斜角度θ１をなして、載置平面２４Ａを各底平板２２，２３の間に配置して、各底平板２２，２３に固定される。載置板体２４は、載置平面２４Ａを底平板２２から傾斜角度θ１で傾斜しつつ底平板２３に向けて延在して、各底平板２２，２３の間に配置する。傾斜角度θ１は、例えば、６７．５度の角度である（以下、同様）。
【００４９】
載置板体２４は、図１２及び図１３に示すように、各底平板２２，２３の底板長さ方向ＬＷ（Ｙ方向）の各底板長さ端２２ｃ，２３ｃ，２２ｄ，２３ｄ（底板長さ端面）に底板長さ間隔ＬＰを隔てて配置される。
これにより、各底平板２２，２３は、各底平板２２，２３の底板長さ方向ＬＷに載置板体２４（載置平面２４Ａ）から突出して配置される。
【００５０】
載置平面２４Ａ（第１載置板平面）は、図１２乃至図１５に示すように、傾斜角度θ１で傾斜する傾斜方向ＳＰと直交する面幅方向ＶＰに面幅ＦＧを有して、各底平板２２，２３の間に傾斜角度θ１で傾斜しつつ延在される。
面幅ＦＧは、例えば、図１６に示すように、４５度曲がりケーブルトラフＹ２の周方向であって、４５度の角度θの内周側面１２６の各内周端ｐ，ｑを結ぶ直線ＢＬ上の線中心点ｓと、４５度の角度θの外周側面１２５の弧中心点ｔの間のトラフ幅間隔ＴＸより大きい幅である。
【００５１】
載置板体２４は、図１２乃至図１５に示すように、例えば、複数（一対）の載置平板３１，３２（第１及び第２載置平板）を有して構成される。
【００５２】
各載置平板３１，３２は、図１２乃至図１５に示すように、例えば、載置板幅Ｈ４を有する板状に形成される。各載置平板３１，３２は、一対の載置板平面３１Ａ，３２Ａ，３１Ｂ，３２Ｂを有し、一方の載置板平面３１Ａ，３２Ａを載置平面２４Ａ（第１載置板平面）とする。
各載置平板３１，３２は、各載置平板３１，３２の載置板方向ＨＸの一方の載置板幅端３１ａ，３２ａ（載置板幅端面）を対向（対峙）して平行に配置される。各載置平板３１，３２は、一方の各載置板幅端３１ａ，３２ａの間に載置板幅間隔ＨＲを隔てて平行に配置される。載置板幅間隔ＨＲは、例えば、４５度曲がりケーブルトラフＹ２のトラフ幅Ｔｗの半分より小さい間隔である。
【００５３】
各載置平板３１，３２は、図１２乃至図１５に示すように、他方の載置板平面３１Ｂ，３２Ｂを各底平板２２，２３の一方の底板平面２２Ａ，２３Ａに当接して平行に配置される。各載置平板３１，３２は、各底平板２２，２３に固定される。
各載置平板３１，３２は、載置板幅方向ＨＸの載置板幅中心線ｅを、一方の底平板２の底板幅方向ＨＷの底板幅中心線ｄに対して傾斜角度θ１を隔てて、各底平板２２，２３の間に平行に配置される。
各載置平板３１，３２は、傾斜角度θ１で傾斜する傾斜方向ＳＰに傾斜角度θ１で傾斜しつつ延在されて、各底平板２２，２３の底板幅方向ＨＷの底板幅中心線ｄ，ｆの間に配置される。
各載置平板３１，３２は、図１３に示すように、面幅方向ＶＰの他方の載置板幅端３１ｂ，３２ｂの間に面幅ＦＧを有して、一方の載置板平面３１Ａ，３２Ａにて載置平面２４Ａを構成する。  
【００５４】
各側板２５，２６（第１及び第２側板）は、図１２乃至図１５に示すように、載置板体２４の載置板幅方向ＶＰの各載置板幅端（載置板幅端面）であって、載置平面２４Ａの面幅方向ＶＰの各面幅端ｆｃ，ｆｄ（面幅端面）に配置されて、載置板体２４に固定される。各側板２５，２６は、載置平面２４Ａと直交する方向（Ｚ方向）において、載置平面２４Ａから突出して載置平面２４Ａ（載置板体２４）に立設される。各側板２５，２６は、載置平面２４Ａ（載置板体２４）の傾斜する傾斜方向ＳＰにおいて、載置平面２４Ａの各面幅端ｆｃ，ｆｄ（載置板幅端）に沿って各底平板２２，２３の間に延在される。
【００５５】
側板２５，２６は、図１２乃至図１５に示すように、例えば、各載置平板３１，３２の他方の載置板幅端３１ｂ，３２ｂに配置されて、各載置平板３１，３２と一体に形成される。各側板２５，２５は、各載置平板３１，３２の一方の載置板平面３１Ａ，３２Ａと直交する方向（Ｚ方向）において、一方の載置板平面３１Ａ，３２Ａから突出して各載置板平面３１Ａ，３２Ａ（各載置平板３１，３２）に立設される。各側板２５，２６は、各載置平板３１，３２の傾斜する傾斜方向ＳＰにおいて、各載置平板３１，３２の他方の載置板幅端３１ｂ，３２ｂに沿って各底平板２２，２３の間に延在される。
【００５６】
各連結平板２７，２８（第１及び第２連結平板）は、図１２乃至図１５に示すように、一方の底平板２２に配置される。連結平板２７は、底板幅方向ＨＷにおいて、側板２６（載置平板３２）及び底平板２２の他方の底板幅端２２ｂの間に配置される。連結平板２８は、底板幅方向ＨＷにおいて、側板２５（載置平板３１）及び底平板２２の他方の底板幅端２２ｂの間に配置される。各連結平板２７，２８は、底平板２２の他方の底板幅端２２ｂに配置されて、底平板２２に固定される。各連結平板２７，２８は、一方の連結板平面２７Ａ，２８Ａを底板幅方向ＨＷの他方の底板幅端２２ｂ側に向けて、各連結板平面２７Ａ，２８Ａを他方の底板幅端面２３ｂ（底板幅端面）と面一にして配置される。
各連結平板２７，２８は、底平板２２の一方の底板平面２２Ａと直交する方向（Ｚ方向）において、一方の底板平面２２Ａから突出して底平板２２に立設される。
【００５７】
各連結平板２９，３０は、図１２乃至図１５に示すように、他方の底平板２３に配置される。連結平板２９は、底板幅方向ＨＷにおいて、側板２６（載置平板３２）及び底平板２３の他方の底板幅端２３ｂの間に配置される。連結平板３０は、底板幅方向ＨＷにおいて、側板２５（載置平板３１）及び底平板２３の他方の底板幅端２３ｂの間に配置される。各連結平板２９，３０は、底平板２３の他方の底板幅端２３ｂに配置されて、底平板２３に固定される。各連結平板２９，３０は、一方の連結板平面２９Ａ，３０Ａを底板幅方向ＨＷの他方の底板幅端２３ｂ側に向けて、各連結板平面２９Ａ，３０Ａを他方の底板幅端２３ｂ（底板幅端面）と面一にして配置される。
各連結平板２９，３０は、底平板２３の一方の底板平面２３Ａと直交する方向（Ｚ方向）において、一方の底板平面２３Ａから突出して底平板２３に立設される。
【００５８】
トラフ受け台Ｘ２は、図１６乃至図１８に示すように、４５度曲がりケーブルトラフＹ２を載置平面２４Ａ（各載置板平面３１Ａ，３２Ａ）に載置して、４５度曲がりケーブルトラフＹ２を支持する。
【００５９】
トラフ受け台Ｘ２は、図１６乃至図１８に示すように、４５度曲がりケーブルトラフＹ２を各側板２５，２６の間に位置して、４５度曲がりケーブルトラフＹ２を載置平面２４Ａ（各載置板平面３１Ａ，３２Ａ）に載置する。トラフ受け台Ｘ２は、４５度曲がりケーブルトラフＹ２の外周側面１２５を側板２５に向け、及び内周側面１２６を側板２６に向けて、４５度曲がりケーブルトラフＹ２を載置平面２４Ａ（各載置板平面３１Ａ，３２Ａ）に載置する。
４５度曲がりケーブルトラフＹ２は、外周側面１２５を側板２５に向け、及び内周側面１２６を側板２６に向けて、各側板２５，２６の間に配置されて、載置平面２４Ａ（各載置板平面３１Ａ，３２Ａ）に載置される。
トラフ受け台Ｘ２は、４５度曲がりケーブルトラフＹ２の四半円環状のトラフ底面１２７Ａを載置平面２４Ａに当接して、４５度曲がりケーブルトラフＹ２を載置平面２４Ａ（各載置板平面３１Ａ，３２Ａ）に載置する。
【００６０】
トラフ受け台Ｘ２は、図１６乃至図１８に示すように、４５度曲がりケーブルトラフＹ２の周方向の各トラフ周端面１２７ａ，１２７ｂを各底平板２２，２３の他方の底板幅端２２ｂ，２３ｂ（底板幅端面）に面一に配置して、４５度曲がりケーブルトラフＹ２を載置平面２４Ａ（各載置板平面３１Ａ，３２Ａ）に載置する。
４５度曲がりケーブルトラフＹ２は、各トラフ周端面１２７ａ，１２７ｂを各底平板２２，２３の他方の底板幅端２２ｂ，２３ｂに面一に配置して、各側板２５，２に接触することなく載置平面２４Ａ（各載置板平面３１Ａ，３２Ａ）に載置される。
【００６１】
図１９乃至図２２において、トラフ受け台Ｘ２（４５度曲がりトラフ受け台）は、複数のトラフ支持器具Ｚ、複数の長尺の直線トラフ受け台ＸＳと共に、複数の長尺の直線ケーブルトラフＹＳ及び４５度曲がりケーブルトラフＹ２をトラフ敷設箇所ＳＯに敷設するために使用される。
【００６２】
複数のトラフ支持器具Ｚは、図１９及び図２０に示すように、鉄道線路に沿った直線Ｌａ上に各トラフ支持器具Ｚの間に間隔を隔てて敷設箇所ＳＯに並設して設置され、及び直線Ｌａに対して４５度の角度で傾斜する直線Ｌｃ上に各トラフ支持器具Ｚの間に間隔を隔てて敷設箇所ＳＯに並設して設置されて、敷設箇所ＳＯに固定される。
各トラフ支持器具Ｚは、へ字状に配置されて、敷設箇所ＳＯに固定される。
【００６３】
各直線トラフ受け台ＸＳのうち、第１直線トラフ受け台ＸＳ１は、図１９及び図２０に示すように、鉄道線路の沿った直線Ｌａの方向に延在されて、各トラフ支持器具Ｚの上に載置される。第２直線トラフ受け台ＸＳ２は、第１直線トラフ受け台ＸＳ１に対して４５度の角度を隔てて配置されて、各トラフ支持器具Ｚ上に載置される。第１及び第２直線トラフ受け台ＸＳ１，ＸＳ２は、ボルト／ナットによって各トラフ支持器具Ｚに固定される。第１及び第２直線トラフ受け台ＸＳ１，ＸＳ２は、一方のトラフ長さ端Ｚａ，Ｚａの間に間隔を隔て配置される。第１及び第２直線トラフ受け台ＸＳ１，ＸＳ２は、各トラフ支持器具Ｚに架設され、及び各トラフ支支持器具Ｚにボルト／ナットによって固定される。
【００６４】
トラフ受け台Ｘ２は、図１９及び図２０に示すように、各底平板２２，２３を第１及び第２直線トラフ受け台ＸＳ１，ＸＳ２に隣接して、第１及び第２直線トラフ受け台ＸＳ１，ＸＳ２の間に配置される。トラフ受け台Ｘ２は、各底平板２２，２３を各トラフ支持器具Ｚの上に載置して、第１及び第２直線トラフ受け台ＸＳ１，ＸＳ２に隣接して配置される。トラフ受け台Ｘ２は、底平板２２，２３をボルト／ナットによって各トラフ支持器具Ｚに固定して、各トラフ支持器具Ｚに支持される。
トラフ受け台Ｘ２は、図１９に示すように、各連結平板２７，２８を第１直線トラフ受け台ＸＳ１のトラフ長さ端Ｚａの各連結平板ＰＬ，ＰＬに当接して、各連結平板２７，２８，ＰＬ，ＰＬをボトル／ナットで締付けて、第１直線トラフ受け台ＸＳ１に連結される。トラフ受け台Ｘ２は、各連結平板２９，３０を第２直線トラフ受け台ＸＳ２のトラフ長さ端Ｚａの各連結平板ＰＬ，ＰＬに当接して、各連結平板２９，３０，ＰＬ，ＰＬをボルト／ナットで締付けて、第２直線トラフ受け台ＸＳ２に連結される。
【００６５】
各直線ケーブルトラフＹＳは、図２１及び図２２に示すように、第１及び第２直線トラフ受け台ＸＳ１，ＸＳ２の載置平面Ｕに載置されて、第１及び第２直線トラフ受け台ＸＳ１，ＸＳ２に支持される。
【００６６】
４５度曲がりケーブルトラフＹ２は、図１６乃至図１８で説明したと同様に、トラフ受け台Ｘ２の載置平面２４Ａ（各載置板平面３１Ａ，３２Ａ）に載置されて、トラフ受け台Ｘ２に支持される（図２１及び図２２参照）。
トラフ受け台Ｘ２に支持した４５度曲がりケーブルトラフＹ２は、図２１及び図２２に示すように、第１及び第２直線トラフ受け台ＸＳ１，ＸＳ２で支持した各直線ケーブルトラフＹＳに連結される。
これにより、各直線ケーブルトラフＹＳ，及び４５度曲がりケーブルトラフＹ２を連結して、敷設箇所ＳＯに敷設できる。
連結した各直線ケーブルトラフＹＳ，ＹＳ、及び４５度曲がりケーブルトラフＹ２内には、ケーブル（図示しない）が収納される。ケーブルは、例えば、第１直線トラフ受け台ＸＳ１上の直線ケーブルトラフＹＳ内から４５度曲がりトラフ受け台Ｘ２上の４５度曲がりケーブルトラフＹ２内に挿入され、４５度の角度曲げられて、第２直線トラフ受け台ＸＳ２上の直線ケーブルトラフＹＳ内に挿入される。
【００６７】
第３実施形態のトラフ受け台について、図２３乃至図３５を参照して説明する。
なお、図２３乃至図３５において、図１乃至図２２と同一符号は、同一部材、同一構成であるので、その詳細な説明は省略する。
【００６８】
図２３乃至図３５において、第３実施形態のトラフ受け台Ｘ３（以下、「トラフ受け台Ｘ３」という）は、半円環状に形成された９０度曲がりケーブルトラフＹ３を支持する。トラフ受け台Ｘ３は、９０度曲がりトラフ受け台（９０度曲がりトラフ支持台）である。
トラフ受け台Ｘ３（トラフ支持台）は、トラフ受け本体４５（９０度曲がりトラフ受け本体）を備える。
【００６９】
９０度曲がりケーブルトラフＹ３は、図２９乃至図３１に示すように、半円環状（平面視半円環状）に形成される。９０度曲がりケーブルトラフＹ３は、ケーブルを収納する。９０度曲がりケーブルトラフＹ３は、中心点ｃを中心とする９０度の中心角θ３を有して半円環状に形成される。９０度曲がりケーブルトラフＹ３は、中心点ｃから外周半径Ｒ３の半円形の外周側面１３１、及び中心点ｃから内周半径ｒ１の半円形の内周側面１３２を有する。９０度曲がりケーブルトラフＹ３は、外周側面１３１及び内周側面１３２の間のトラフ幅Ｔｗと、トラフ幅方向と直交するトラフ高さＴｈを有する断面四角形の筒状に形成される。
【００７０】
トラフ受け本体４５（トラフ受け台Ｘ３）は、図２３乃至図２８に示すように、第１乃至第３底平板２２，２３，４６、第１載置板体２４（第１傾斜載置板体）、第２載置板体４７（第２傾斜載置板体）、第１乃至第４側板２５，２６，４８，４９（第１乃至第４側平板），及び第１乃至第４連結平板２７，２８，５０，５１を備える。
【００７１】
第１及び第２底平板２２，２３は、図１２乃至図１５で説明したと同様に、トラフ受け台Ｘ２の各底平板２２，２３と同一構成である（図２３乃至図２７参照）。
【００７２】
第３底平板４６は、第１及び第２底平板２２，２３と同一であって、板長さＬ３及び板幅Ｈ３を有する矩形状に形成される。
【００７３】
第２及び第３底平板２３，４６は、図２３乃至図２８に示すように、第２底平板２３の他方の底板幅端２３ｂ、及び第３底平板４６の底板幅方向ＨＷの一方の底板幅端４６ａ（底板幅端面）を対向（対峙）して配置される。
第２及び第３底平板２３，４６は、図２３乃至図２８に示すように、他方の底板幅端２３ｂ及び一方の底板幅端４６ａの間に４５度の角度θを隔てて配置される。
これにより、第１及び第３底平板２２，４６は、一方の底板幅端２２ａ，４６ａの間に９０度の角度２θを隔てて配置される。第３底平板４６は、第２底平板２３の底板幅方向ＨＷの底板幅中心線ｆに対して４５度の角度θを隔てて傾斜される。
【００７４】
第１載置板体２４は、図１２乃至図１５で説明したと同様に、トラフ受け台Ｘ２の載置板体２４と同一構成であって、一方の第１板平面２４Ａを第１載置平面２４Ａ（第１傾斜載置平面）とする（図２３乃至図２７参照）。
第１載置板体２４は、図２９に示すように、９０度曲がりケーブルトラフＹ３の周方向において、９０度曲がりケーブルトラフＹ３の中心角４５度の一方の四半円環側を第１載置平面２４Ａに載置する。
第１載置板体２４は、図１２乃至図１５で説明したと同様に、例えば、複数（一対）の載置平板３１，３２（第１及び第２載置平板）を有して構成される。
【００７５】
第２載置板体４７は、図２３乃至図２６、及び図２８に示すように、１又は複数の平板で構成され、一対の第２板平面４７Ａ，４７Ｂを有し、一方の第２板平面４７Ｂを第２載置平面４７Ａ（以下、「第２載置平面４７Ａ」という）する。第２載置板体４７は、９０度の曲がりケーブルトラフＹ３の周方向において、９０度曲がりケーブルトラフの中心角４５度の他方の四半円環側を第２載置平面４７Ａに載置する。
【００７６】
第２載置板体４７は、図２３乃至図２６、及び図２８に示すように、第１載置板体２４に連続して配置される。第２載置板体４７は、他方の板平面４７Ｂを第２及び第３底平板２３，４６の一方の底板平面２３Ａ，４６Ａに当接して配置される。
第２載置板体４７は、第２載置平面４７Ａ（一方の板平面）を第１載置平面２４Ａと同一平面に配置し、及び第２及び第３底平板２３，４６の間に配置して、第２及び第３底平板２３，４６に固定される。
第２載置板体４７（第２載置平面４７Ａ）は、図２７に示すように、第２底平板２３の底板幅方向ＨＷの底板幅中心線ｆに対して傾斜角度θ１を隔てて傾斜される。第２載置板体４７は、第２底平板２３の底板幅中心線ｆに傾斜角度θ１をなして、第２載置平面４７Ａを第２及び第３底平板２３，４６の間に配置して、第２及び第３底平面２３，４６に固定される。第２載置板体４７は、第２載置平面４７Ａを第２底板平面２３から傾斜角度θ１で傾斜しつつ第３底平板４６に向けて延在して、第２及び第３底平板２３，４６の間に配置する。
【００７７】
第２載置板体４７は、図２３、図２４及び図２８に示すように、第２及び第３底平板２３，４６の底板長さ方向ＬＷの各底板長さ端２３ｃ，４６ｃ，２３ｄ，４６ｄ（底板長さ端面）に底板長さ間隔ＬＰを隔てて配置される。
これにより、第２及び第３底平板２３，４６は、第２及び第３底平板２３，４６の底板長さ方向ＬＷに第２載置板体４７（第２載置平面４７Ａ）から突出して配置される。
【００７８】
第２載置平面４７Ａは、図２３、図２４及び図２８に示すように、傾斜角度θ１で傾斜する傾斜方向ＳＰと直交する面幅方向ＶＰに面幅ＦＧを有して、第２及び第３底平面２３，４６の間に傾斜角度θ１で傾斜しつつ延在される。
第２載置平面４７Ａの面幅ＦＧは、第１載置平面２４Ａ（トラフ受け台Ｘ２の載置平面２４Ａ）と同様に、トラフ幅間隔ＴＸより大きい幅である。
【００７９】
第２載置板体４７は、図２３、図２４、図２６及び図２８に示すように、例えば、複数（一対）の載置平板５５，５６（第３及び第４載置平板）を有して構成される。
【００８０】
各載置平板５５，５６は、図２３、図２４、図２６及び図２８に示すように、載置板幅Ｈ４を有する板状に形成される。各載置平板５５，５６は、一対の載置板平面５５Ａ，５６Ａ，５５Ｂ，５６Ｂを有し、一方の載置板平面５５Ａ，５６Ａを第２載置平面４７Ａとする。
各載置平板５５，５６は、各載置平板５５，５６の載置板幅方向ＨＸの一方の載置板幅端５５ａ，５６ａ（載置板幅端面）を対向（対峙）して平行に配置される。各載置平板５５，５６は、一方の載置幅板端５５ａ，５６ａの間に載置板幅間隔ＨＲ（各載置平板３１，３２と同一の載置板幅間隔）を隔てて平行に配置される。
【００８１】
各載置平板５５，５６は、図２３及び図２６に示すように、他方の載置板平面５５Ｂ，５６Ｂを第２及び第３底平板２３，４６の一方の板平面２３Ａ，４６Ａに当接して平行に配置される。各載置平板５５，５６は、第２及び第３底平板２３，４６に固定される。
【００８２】
各載置平板５５，５６は、図２８に示すように、載置板幅方向ＨＸの載置板幅中心線ｇを、第２底平板２３の底板幅方向ＨＷの底板幅中心線ｆに対して傾斜角度θ１を隔てて、第２及び第３底平板２２，２３の間に平行に配置される。
各載置平板５５，５６は、各載置平板３１，３２（第１及び第２載置平板）に連続して配置される。各載置平板５５，５６は、傾斜角度θ１で傾斜する傾斜方向ＳＰに傾斜角度θ１で傾斜しつつ延在されて、第２及び第３底平板２３，４６の底板幅中心線ｆ，ｈの間に配置される。
各載置平板５５，５６は、図２８に示すように、面幅方向ＶＰの他方の載置板幅端５５ｂ，５６ｂの間に面幅ＦＧを有して、一方の載置板平面５５Ａ，５６Ａにて第２載置平面４７Ａを構成する。
【００８３】
第１及び第２側板２５，２６は、図１２乃至図１５で説明したと同様に、トラフ受け台Ｘ２の各側板２５，２６と同一構成であって、第１載置平面２４Ａの面幅方向ＶＰの各面幅端ｆｃ，ｆｄ（面幅端側）に配置されて、第１載置板体２４に固定される（図２３乃至図２７参照）。
【００８４】
第１及び第２側板２５，２６は、図１２乃至図１５で説明したと同様に、例えば、各載置平板３１，３２（第１及び第２載置平板）の他方の載置板幅端３１ｂ，３２ｂに配置されて、各載置平板３１，３２に固定される（図２３乃至図２７参照）。
【００８５】
第３及び第４側板４８，４９は、図２３乃至図２６、及び図２８に示すように、第２載置板体４７の載置板幅方向ＶＰの各載置板幅端（載置板幅端面）であって、第２載置平面４７Ａの面幅方向ＶＰの各面幅端ｆｅ，ｆｇ（面幅端面）に配置されて、第２載置板体４７に固定される。第３及び第４側板４８，４９は、第２載置平面４７Ａと直交する方向（Ｚ方向）において、第２載置平面４７Ａから突出して第２載置平面４７Ａ（第２載置板体４７）に立設される。第３及び第４側板４８，４９は、第２載置平面４７Ａの傾斜する傾斜方向ＳＰにおいて、第２載置平面４７Ａの各面幅端ｆｅ，ｆｇ（各載置板幅端）に沿って第２及び第３底平板２３，４６の間に延在される。
【００８６】
第３及び第４側板４８，４９は、図２３乃至図２６、及び図２８に示すように、例えば、各載置平板５５，５６の他方の載置板幅端５５ｂ，５６ｂに配置されて、各載置平板５５，５６と一体に形成される。第３及び第４側板４８，４９は、各載置平板５５，５６の一方の載置板平面５５Ａ，５６Ａと直交する方向（Ｚ方向）において、一方の載置板平面５５Ａ，５６Ａから突出して各載置板平面５５Ａ，５６Ａ（各載置平板５５，５６）に立設される。第３及び第４側板４８，４９は、各載置平板５５，５６の傾斜する傾斜方向ＳＰにおいて、各載置平板５５，５６の他方の載置板幅端５５ｂ，５６ｂに沿って第２及び第３底平板２３，４６の間に延在される。
【００８７】
第１及び第２連結平板２７，２８は、図１２乃至図１５で説明したと同様に、トラフ受け台Ｘ２の連結平板２７，２８と同一構成であって、第１底平板２２に配置される（図２３乃至図２７参照）。
【００８８】
第３及び第４連結平板５０，５１は、図２３乃至図２６、及び図２８に示すように、第３底平板４６に配置される。第３連結平板５０は、底板幅方向ＨＷにおいて、第３側板４８（載置平板５６）及び第３底平板４６の他方の底板幅端４６ｂの間に配置される。第４連結平板５１は、底板幅方向ＨＷにおいて、第４側板４９（載置平板５５）及び第３底平板４６の他方の底板幅端４６ｂの間に配置される。第３及び第４連結平板５０，５１は、第３底平板４６の他方の底板幅端４６ｂに配置されて、第３底平板４６に固定される。第３及び第４連結平板５０，５１は、一方の連結板平面５０Ａ，５１Ａを底板幅方向ＨＷの他方の底板幅端４６ｂ側に向けて、連結板平面５０Ａ，５１Ａを他方の底板幅端４６ｂ（底板幅端面）と面一にして配置される。
第３及び第４連結平板５０，５１は、第３底平板４６の一方の底板平面４６Ａと直交する方向（Ｚ方向）において、一方の底板平面４６Ａから突出して第３底平板４６に立設される。
【００８９】
トラフ受け台Ｘ３は、図２９乃至図３１に示すように、９０度曲がりケーブルトラフＹ３を第１及び第２載置平面２４Ａ，４７Ａ（各載置板平面３１Ａ，３２Ａ，５５Ａ，５６Ａ）に載置して、９０度曲がりケーブルトラフＹ３を支持する。
【００９０】
トラフ受け台Ｘ３は、図２９乃至図３１に示すように、９０度曲がりケーブルトラフＹ３を、第１及び第３側板２７，５０と第２及び第４側板２８，５１の間に位置して、９０度曲がりケーブルトラフＹ３を第１及び第２載置平面２４Ａ，４７Ａ（各載置板平面３１Ａ，３２Ａ，５５Ａ，５６Ａ）に載置する。
トラフ受け台Ｘ３は、９０度曲がりケーブルトラフＹ３の外周側面１３１を第２及び第４側板２８，５１に向け、及び内周側面１３２を第１及び第３側板２７，５０に向けて、９０度曲がりケーブルトラフＹ３を第１及び第２載置平面２４Ａ，４７Ａ（各載置板平面３１Ａ，３２Ａ，５５Ａ，５６Ａ）に載置する。
９０度曲がりケーブルトラフＹ３は、外周側面１３１を第２及び第４側板２８，５１に向け、及び内周側面１３２を第１及び第３側板２７，５０に向けて、第１及び第３側板２７，５０と第２及び第４側板２８，５１の間に配置されて、第１及び第２載置平面２４Ａ，４７Ａ（各載置板平面３１Ａ，３２Ａ，５５Ａ，５６Ａ）に載置される。
トラフ受け台Ｘ３は、図３０及び図３１に示すように、９０度曲がりケーブルトラフＹ３の半円環状のトラフ底面１３３Ａを第１及び第２載置平面２４Ａ，４７Ａに当接して、９０度曲がりケーブルトラフＹ３を第１及び第２載置平面２４Ａ，４７Ａ（各載置板平面３１Ａ，３２Ａ，５５Ａ，５６Ａ）に載置する。
【００９１】
トラフ受け台Ｘ３は、図２９乃至図３１に示すように、９０度曲がりケーブルトラフＹ３の周方向の各トラフ周端面１３３ａ，１３３ｂを第１及び第３底平板２２，４６の他方の底板幅端２２ｂ，４６ｂ（底板幅端面）に面一に配置して、９０度曲がりケーブルトラフＹ３を第１及び第２載置平面２４Ａ，４７Ａ（各載置板平面３１Ａ，３２Ａ，５５Ａ，５６Ａ）に載置する。
９０度曲がりケーブルトラフＹ３は、各トラフ周端面１３３ａ，１３３ｂを第１及び第３底平板２２，４６の他方の底板幅端２２ｂ，４６ｂに面一に配置して、第１乃至第４側板２５，２６，４８，４９に接触することなく第１及び第２載置平面２４Ａ，４７Ａ（各載置板平面３１Ａ，３２Ａ，５５Ａ，５６Ａ）に載置される。
【００９２】
図３２乃至図３５において、トラフ受け台Ｘ３（９０度曲がりトラフ受け台）は、複数のトラフ支持器具Ｚ、複数の直線トラフ受け台ＸＳと共に、複数の長尺の直線ケーブルトラフＹＳ及び９０度曲がりケーブルトラフＹ３をトラフ敷設箇所ＳＯに敷設するために使用される。
【００９３】
複数のトラフ支持器具Ｚは、図３２及び図３３に示すように、鉄道線路に沿った直線Ｌａ上に各トラフ支持器具Ｚの間に間隔を隔てて敷設箇所ＳＯに並設して設置され、及び直線Ｌａと直交する直線Ｌｃ上に各トラフ支持器具Ｚの間に間隔を隔てて敷設箇所ＳＯに並設して設置されて、敷設箇所ＳＯに固定される。
各トラフ支持器具Ｚは、Ｌ字状に配置されて、敷設箇所ＳОに固定される。
【００９４】
各直線トラフ受け台ＸＳのうち、第１直線トラフ受け台ＸＳ１は、図３２及び図３３に示すように、鉄道線路に沿った直線Ｌａの方向に延在されて、各トラフ支持器具Ｚ上に載置される。第２直線トラフ受け台Ｘ２は、第１直線トラフ受け台ＸＳ１に対して９０度の角度を隔てて配置されて、各トラフ支持器具Ｚ上に載置される。第１及び第２直線トラフ受け台Ｓ１，Ｓ２は、ボルト／ナットによって各トラフ支持器具Ｚに固定される。第１及び第２直線トラフ受け台ＸＳ１，ＸＳ２は、一方のトラフ長さ端Ｚａ，Ｚａの間に間隔を隔てて配置される。第１及び第２直線トラフ受け台ＸＳ１，ＸＳ２は、各トラフ支持器具Ｚに架設され、及び各トラフ支持器具Ｚにボルト／ナットによって固定される。
【００９５】
トラフ受け台Ｘ３は、図３２及び図３３に示すように、第１及び第３底平板２３，４６を第１及び第２直線トラフ受け台ＸＳ１，ＸＳ２に隣接して、第１及び第２直線トラフ受け台ＸＳ１，ＸＳ２の間に配置される。トラフ受け台Ｘ３は、第１乃至第３底平板２２，２３，４６を各トラフ支持器具Ｚの上に載置して、第１及び第２直線トラフ受け台ＸＳ１，ＸＳ２に隣接して配置される。トラフ受け台Ｘ３は、第１乃至第３底平板２２，２３，４６をボルト／ナットによって各トラフ支持器具Ｚに固定して、各トラフ支持器具Ｚに支持される。
トラフ受け台Ｘ３は、図３２に示すように、第１及び第２連結平板２７，２８を第１直線トラフ受け台ＸＳ１の各連結平板ＰＬ，ＰＬに当接して、各連結平板２７，２８，ＰＬ，ＰＬをボルト／ナットで締付けて、第１直線トラフ受け台ＸＳ１に連結される。トラフ受け台Ｘ３は、第３及び第４連結平板５０，５１を第２直線トラフ受け台ＸＳ２の各連結平板ＰＬ，ＰＬに当接して、各連結平板５０，５１，ＰＬ，ＰＬをボルト／ナットで締付けて、第２直線トラフ受け台ＸＳ２に連結される。
【００９６】
各直線ケーブルトラフＹＳは、図３４及び図３５に示すように、第１及び第２直線トラフ受け台ＸＳ１，ＸＳ２の載置平面Ｕに載置されて、第１及び第２直線トラフ受け台ＸＳ１，ＸＳ２に支持される。
【００９７】
９０度曲がりケーブルトラフＹ３は、図２９乃至図３１で説明したと同様に、トラフ受け台Ｘ３の第１及び第２載置平面２４Ａ，４７Ａ（各載置板平面３１Ａ，３２Ａ，５５Ａ，５６Ａ）に載置されて、トラフ受け台Ｘ３に支持される。
トラフ受け台Ｘ３に支持した９０度曲がりケーブルトラフＹ３は、第１及び第２直線トラフ受け台ＸＳ１，ＸＳ２で支持した各直線ケーブルトラフＹＳに連結される。
これにより、各直線ケーブルトラフＹＳ、及び９０度曲がりケーブルトラフＹ３を連結して、敷設箇所ＳＯに敷設できる。
連結した各直線ケーブルトラフＹＳ、及び９０度曲がりケーブルトラフＹ３内には、ケーブル（図示しない）が収納される。ケーブルは、例えば、第１直線トラフ受け台ＸＳ１上の直線ケーブルトラフＹＳ内から９０度曲がりケーブルトラフＹ３内に挿入され、９０度曲げられて、第２直線トラフ受け台ＸＳ２上の直線ケーブルトラフＹＳ内に挿入される。
【００９８】
第４実施形態のトラフ受け台について、図３６乃至図５３を参照して説明する。
【００９９】
図３６乃至図５３において、第４実施形態のトラフ受け台Ｘ４（以下、「トラフ受け台Ｘ４」という）は、勾配ケーブルトラフＹ４を支持する。トラフ受け台Ｘ４は、勾配トラフ受け台（勾配トラフ支持台）である。
【０１００】
勾配ケーブルトラフＹ４は、図４６乃至図４８に示すように、ケーブルを収納する。勾配ケーブルトラフＹ４は、トラフ長さＴｌ，Ｔｍを有する第１及び第２直線トラフ部１４１，１４２と、第１及び第２直線トラフ部１４１，１４２に対して勾配角度θＹを隔てて第１及び第２直線トラフ部１４１，１４２のトラフ長さ方向ＣＤの一方のトラフ長さ端１４１ａ，１４２ａに連結される勾配トラフ部１４３とからなる。勾配トラフ部１４３は、勾配トラフ長さＴｋ及び勾配トラフ幅Ｔｗを有する。勾配ケーブルトラフＹ４において、第１及び第２直線トラフ部１４１，１４２、及び勾配トラフ部１４３は、トラフ幅Ｔｗ（勾配トラフ幅Ｔｗ）、及びトラフ幅方向ＣＤと直交するトラフ高さＴｈを有する断面四角形の筒状に形成される。
第１及び第２直線トラフ部１４１，１４２のトラフ長さＴｌ，Ｔｍは、第１及び第２直線トラフ部１４１，１４２のトラフ底面１４１Ｃ，１４２Ｃの長さである。勾配トラフ部１４３の勾配トラフ長さＴｋは、勾配トラフ部１４３の勾配トラフ底面１４３Ｃの長さでる。
【０１０１】
トラフ受け台Ｘ４は、図３６乃至４５に示すように、第１乃至第４底平板６１，６２，６３，６４、第１載置板体７１、第２載置板体７２、第３載置板体７３（勾配載置板体）、第１乃至第６側板７５，７６，７７，７８，７９，８０、及び第１乃至第４連結平板８１，８２，８３，８４を備える。
【０１０２】
第１乃至第４底平板６１，６２，６３，６４は、底板長さＬ６及び底板幅Ｈ６を有する矩形状に形成される。
第１及び第２底平板６１，６２は、図３６乃至４５に示すように、第１及び第２底平板６１，６２の底板幅方向ＨＷの一方の底板幅端６１ａ，６２ａ（底板幅端面）を対向して平行に配置される。第１及び第２底平板６１，６２は、第１及び第２底平板６１，６２の底板幅方向ＨＷの他方の底板幅端６１ｂ，６２ｂ（底板幅端面）の間に、第１底板幅間隔ＨＲを隔てて平行に配置される。第１底板幅間隔ＨＲは、第１直線トラフ部１４１のトラフ長さＴｌと同一の幅間隔である。
【０１０３】
第２及び第３底平板６３，６４は、図３６乃至図４５に示すように、第２底平板６２の他方の底板幅端６２ｂ（底板幅端面）、及び第３底平板６３の底板幅方向ＨＷの一方の底板幅端６３a（底板幅端面）を対向して平行に配置される。
第２及び第３底平板６２，６３は、図３８に示すように、第２底平板の底板幅方向ＨＷ（Ｘ方向）及び底板長さ方向ＬＷ（Ｙ方向）と直交する方向（Ｚ方向）において、第２底平板６２の他方の底板幅端６２ｂ、及び第３底平板６３の一方の底板幅端６３ａの間に、第１底板高さ間隔ＬＲ（底板高さ間隔）を隔てて配置される。
第２及び第３底平板６２，６３は、図３８に示すように、第２底平板６２の底板幅方向ＨＷにおいて、第２底平板６２の他方の底板幅端６２ｂ及び第３底平板６３の一方の底板幅端６３ａの間に、第２底板幅間隔ＨＳを隔てて配置される。
【０１０４】
第３及び第４底平板６３，６４は、図３６乃至図４５に示すように、第３底平板６３の底板幅方向ＨＷの他方の底板幅端６３ｂ（底板幅端面）、及び第４底平板６４の底板幅方向ＨＷの一方の底板幅端６４ａ（底板幅端面）を対向して平行に配置される。第３及び第４底平板６３，６４は、第３底平板６３一方の底板幅端６３ａ、及び第４底平板６４の他方の底板幅端６４ｂの間に、第３底板幅間隔ＨＵを隔てて平行に配置される。第３底板幅間隔ＨＵは、第２直線トラフ部１４２のトラフ長さＴｍと同一の幅間隔である。
【０１０５】
第１載置板体７１は、図３６乃至図４４に示すように、１又は複数の平板で構成され、一対の第１板平面７１Ａ，７１Ｂを有し、一方の第１板平面７１Ａを第１載置平面（以下、「第１載置平面７１Ａ」という）とする。第１載置板体７１は、勾配ケーブルトラフＹ４の第１直線トラフ部１４１を第１載置平面７１Ａに載置する。
【０１０６】
第１載置板体７１は、図３６乃至図４４に示すように、他方の第１板平面７１Ｂを第１及び第２底平板６１，６２の一方の底板平面６１Ａ，６２Ａに当接して配置する。
第１載置板体７１は、第１載置平面７１Ａ（一方の第１板平面）を第１及び第２底平板６１，６２の間に配置して、第１及び第２底平板６１，６２に固定される。第１載置板体７１は、第１底平板６１の底板幅方向ＨＷの底板幅中心線ｍと直交して、第１載置平面７１Ａを第１及び第２底平板６１，６２の間に配置する。
【０１０７】
第１載置板体７１は、図４１に示すように、第１及び第２底平板６１，６２の底板長さ方向ＬＷ（Ｙ方向）の各底板長さ端６１ｃ，６２ｃ，６１ｄ，６２ｄ（底板長さ端面）に底板長さ間隔ＬＱを隔てて配置される。
これにより、第１及び第２底平板６１，６２は、第１及び第２底平板６１，６２の底板長さ方向ＬＷに第１載置板体７１（第１載置平面７１Ａ）から突出して配置される。
【０１０８】
第１載置平面７１Ａ（第１載置板体７１）は、図４１に示すように、第１及び第２底平板６１，６２の底板長さ方向ＬＷに面幅ＦＪ（第１載置板幅）を有する。第１載置平面７１Ａは、第１平板６１の底板幅中心線ｍと直交して、第１及び第２底平板６１，６２の他方の底板幅端６１ｂ，６２ｂの間に延在される。
第１載置平面７１Ａの面幅ＦＪは、例えば、第１直線トラフ部１４１のトラフ幅Ｔｗと略同一であって、トラフ幅Ｔｗより僅かに大きい幅である。
【０１０９】
第２載置板体７２は、図３６乃至図４３、及びず４５に示すように、１又は複数の平板で構成され、一対の第２板平面７２Ａ，７２Ｂを有し、一方の第２板平面７２Ａを第２載置平面（以下、「第２載置平面７２Ａ」という）とする。第２載置板体７２は、勾配ケーブルトラフＹ４の第２直線トラフ部１４２を第２載置平面７２Ａに載置する。
【０１１０】
第２載置板体７２は、図３６乃至図４１、及び図４５に示すように、他方の第２板平面７２Ｂを第３及び第４底平板６３，６４の一方の底板平面６３Ａ，６４Ａに当接して配置される。第２載置板体７２は、第２載置平面７２Ａを第３及び第４底平板６３，６４の間に配置して、第３及び第４底平板６３，６４に固定される。第２載置板体７２は、第３底平板６３の底板幅方向ＨＷの底板幅中心線ｎと直交して、第３及び第４底平板６３，６４の間に配置される。
【０１１１】
第２載置板体７２は、図４２に示すようｊに、第３及び第４底平板６３，６４の底板長さ方向ＬＷ（Ｙ方向）の各底板長さ端６３ｃ，６４ｃ，６３ｄ，６４ｄ（底板長さ端面）に底板長さ間隔ＬＱを隔てて配置される。
これにより、第３及び第４底平板６３，６４は、第３及び第４底平板６３，６４の底板長さ方向ＬＷに第２載置板体７２（第２載置平面７２Ａ）から突出して配置される。
【０１１２】
第２載置平面７２Ａ（第２載置板体７２）は、図４２に示すように、第３及び第４底平板６３，６４の底板長さ方向ＬＷに面幅ＦＪ（第２載置板幅）を有する。第２載置平面７２Ａは、第３底平板６３，６４の底板幅中心線ｎに直交して、第３底平板６３の一方の底板幅端６３ａ及び第４底平板６３，６４の他方の底板幅端６３ｂ，６４ｂの間に延在される。
第２載置平面７２Ａの面幅ＦＪは、例えば、第２直線トラフ部１４２のトラフ幅Ｔｗと略同一であって、トラフ幅Ｔｗより僅かに大きい幅である。
【０１１３】
第３載置板体７３は、図３６乃至図４５に示すように、１又は複数の平板で構成され、一対の第３板平面７３Ａ，７３Ｂを有し、一方の第３板平面７３Ａを第３載置平面（以下、第３載置平面７３Ａ）という）とする。第３載置板体７３は、他方の第３板平面７３Ｂを第２及び第３底平板６２，６３の一方の底板平面６２Ａ，６３Ａに向けて配置される。第３載置板体７３は、第１載置平面７１Ａと直交する方向（第２底平板６２の底幅方向ＨＷ及び底板長さ方向ＬＷと直交する方向）において、第１載置平面７１Ａに対して勾配角度θＹをなして、第３載置平面７３Ａを第１及び第２載置平面７１Ａ，７２Ａ（第２及び第３底平板６２，６３）の間に配置して、第２及び第３平板６２，６３に固定される。
第３載置板体７３は、図３８に示すように、第３載置平面７３Ａを勾配角度θ３で傾斜しつつ、第１載置平面７１Ａ（第１載置板体７１）から第２載置平面７２Ａ（第２載置板体７２）に向けて延在して、第１及び第２載置平面７１Ａ，７２Ａ（第１及び第２載置板体７１，７２）の間に配置する。
【０１１４】
第３載置平面７３Ａ（第３載置板体７３）は、図３８に示すように、勾配角度θＹで傾斜する傾斜方向ＳＱに、面長さＦＬを有し、及び傾斜方向ＳＱと直交する直交方向ＶＱに面幅ＦＪを有して、第１及び第２載置平面７１Ａ，７２Ａ（第２及び第３底平板６２，６３）の間に勾配角度θＹで傾斜しつつ延在される。第３載置平面７３Ａの面長さＦＬは、勾配トラフ部１４３のトラフ長さＴｋと同一の長さである。第３載置平面７３Ａの面幅ＦＪは、勾配トラフ部１４３のトラフ幅Ｔｗと略同一であって、トラフ幅Ｔｗより僅かに大きい幅である。
なお、ｔａｎ（θＹ）＝（ＬＳ／ＨＳ）、（ＦＬ）２＝（ＬＲ）２＋（ＨＳ）２の関係である。
【０１１５】
第１及び第２側板７５，７６は、図３６乃至図４１、図４３及び図４４に示すように、第１載置板体７１の載置板幅方向ＨＸの各載置板幅端（各載置板幅端面）であって、第１載置平面７１Ａの面幅方向ＨＸの各面幅端ｆｈ，ｆｉに配置されて、第１載置板体７１に固定される。第１及び第２側板７５，７６は、第１載置平面７１Ａと直交する方向（Ｚ方向）において、第１載置平面７１Ａから突出して第１載置平面７１Ａ（第１載置板体７１）に立設される。
第１及び第２側板７５，７６は、第１及び第２底平板６１，６２の底板幅方向ＨＷにおいて、第１載置平面７１Ａ（第１載置板体７１）の各面幅端ｆｈ，ｆｉ（各第１載置板幅端）に沿って第１及び第２底平板６１，６２の間に延在される。
【０１１６】
第３及び第４側板７７，７８は、図３６乃至図４０、図４２及び図４３に示すように、第２載置板体７２の載置板幅方向ＨＸの各載置板幅端（各載置板幅端面）であって、第２載置平面７２Ａの面幅方向ＨＸの各面幅端ｆｊ，ｆｋに配置されて、第２載置板体７２に固定される。第３及び第４側板７７，７８は、第２載置平面７２Ａと直交する方向（Ｚ方向）において、第２載置平面７２Ａから突出して第２載置平面７２Ａ（第２載置板体７２）に立設される。
第３及び第４側板７７，７８は、第３及び第４底平板７７，７８の底板幅方向ＨＷ（直交方向ＶＱ）において、第２載置平面７２Ａ（第２載置板体７２）の各面幅端ｆｊ，ｆｋ（各第２載置板幅端）に沿って第３及び第４底平板６３，６４の間に延在される。
【０１１７】
第５及び第６側板７９，８０は、図３６乃至図３９、及び図４１乃至図４３に示すように、第２載置板体７２の載置板幅方向ＨＸの各載置板幅端（各載置板幅端面）であって、第３載置平面７３Ａの面幅方向ＨＸの各面幅端ｆｍ，ｆｎに配置されて、第３載置板体７３に固定される。第５及び第６側板７９，８０は、第３載置平面７３Ａと直交する方向において、第３載置平面７３Ａから突出して第３載置平面７３Ａ（第３載置板体７３）に立設される。
第５及び第６側板７９，８０は、第３載置平面７３Ａ（第３載置板体７３）の傾斜する傾斜方向ＳＱにおいて、第３載置平面７３Ａ（第３載置板体７３）の各面幅端ｆｍ，ｆｎ（各第３載置板幅端）に沿って第２及び第３底平板６２，６３の間に延在される。
【０１１８】
第１及び第２連結平板８１，８２は、図３６乃至図４１、図４３及び図４４に示すように、第１底平板６１に配置される。第１連結平板８１は、第１底平板６１の他方の底板長さ端６１ｄ（底板長さ端面）及び第１載置板体７１の載置板幅方向ＨＸの他方の載置板幅端ｆｉ（第１載置平面７１Ａの他方の面幅端ｆｉ）の間に配置される。第２連結平板８２は、第１底平板６１の一方の底板長さ端６１ｃ（底板長さ端面）及び第１載置板体７１の載置板幅方向ＨＸの一方の載置板幅端ｆｈ（第１載置平面７１Ａの一方の面幅端ｆｈ）の間に配置される。第１及び第２連結平板８１，８２は、第１底平板６１の他方の底板幅端６１ｂに配置されて、第１底平板６１に固定される。第１及び第２連結平板８１，８２は、一方の連結板平面８１Ａ，８２Ａを底板幅方向ＨＷの他方の底板幅端６４ｂ側に向け、及び他方の底板幅端６１ｂ（底板幅端面）と面一にして配置される。
第１及び第２連結平板８１，８２は、第１底平板６１の一方の底板平面６１Ａと直交する方向（Ｚ方向）において、一方の底板平面２Ａから突出して第１底平板６１に立設される。
【０１１９】
第３及び第４連結平板８３，８４は、図３６乃至図４０、図４３及び図４５に示すように、第４底平板６４に配置される。第３連結平板８３は、第４底平板６４の他方の底板長さ端面６４ｄ（底板長さ端面）及び第２載置板体７２の載置板幅方向ＨＸの他方の載置板幅端ｆｊ（第２載置平面７２Ａの他方の面幅端ｆｊ）の間に配置される。第４連結平板８４は、第４底平板６４の他方の底板長さ端６４ｃ（底板長さ端面）及び第２載置板体７２の載置板幅方向ＨＸの一方の載置板幅端ｆｋ（第２載置平面７２Ａ一方の面幅端ｆｋ）の間に配置される。第３及び第４連結平板８３，８４は、第４底平板６４の他方の底板幅端６４ｂに配置されて、第４底平板６４に固定される。第３及び第４連結平板８３，８４は、一方の連結板平面８３Ａ，８４Ａを底板幅方向ＨＷの他方の底板幅端６４ｂに向け、及び他方の底板幅端６４ｂ（底板幅端面）と面一にして配置される。
第３及び第４連結平板８３，８４は、第４底平板６４の一方の底板平面６４Ａと直交する方向（Ｚ方向）において、一方の底板平面６４Ａから突出して第４底平板６４に立設される。
【０１２０】
トラフ受け台Ｘ４は、図３６乃至図４５に示すように、例えば、上勾配トラフ受け本体８５、及び下勾配トラフ受け本体８６を有して構成される。
【０１２１】
上勾配トラフ受け本体８５は、図３６乃至図４１、図４３及び図４４に示すように、第１及び第２底板６１，６２、第１傾斜底平板８７，第１載置板体７１，第１及び第２側板７５，７６、第１及び第２連結平板８１，８２、第１傾斜載置板体８８、第１及び第２傾斜側板８９，９０、第１及び第２傾斜連結平板９１，９２を備える。
【０１２２】
上勾配トラフ受け本体８５において、第１及び第２底平板６１，６２は、図３６乃至図４５で説明したと同様に、一方の底板幅端６１ａ，６２ａを対向（対峙）して平行に配置される。
【０１２３】
上勾配トラフ受け本体８５において、第２底平板６２及び第１傾斜底平板８７は、図３８乃至図４１、及び図４４に示すように、第２底平板６２の他方の底板幅端６２ｂ、及び第１傾斜底平板８７の底板幅方向ＨＷの一方の底板幅端８７ａ（底板幅端面）を対向（対峙）して平行に配置される。第２底平板６２及び第１傾斜底平板８７は、第２底平板６２の底板幅方向ＨＷにおいて、第２底平板６２の他方の底板幅端６２ｂ、及び第１傾斜底平板８７の底板幅方向ＨＷの他方の底板幅端８７ｂの間に、第４底板幅間隔ＨＶを隔てて配置される。第２底平板６２及び第１傾斜底平板８７は、第２底平板６２の一方の底板平面６２Ａと直交する一方向（図４３の上方向）において、第２底平板６２の他方の底板幅端６２ｂ、及び第１傾斜底平板８７の他方の底板幅端８７ｂの間に、第２底板高さＬＵを隔てて配置される。
第４底板幅間隔ＨＶは、第２底板幅間隔ＨＳの半分（１／２）の幅間隔である［ＨＶ＝（１／２）×ＨＳ］。第２底板高さＬＵは、第１底板高さＬＲの半分（１／２）の高さである［ＬＵ＝（１／２）×ＬＲ］。
【０１２４】
第２底平板６２及び第１傾斜底平板８７は、図４３に示すうように、一方の底板平面６２Ａ，８７Ａの間に勾配角度θ３を隔てて配置される。第１傾斜底平板８７は、第２底平板６２の一方の底板平面６２Ａと直交する一方向（図４３の反時計回り方向／上方向）において、第２底平板６２の一方の底板平面６２Ａに勾配角度θＹを隔てて傾斜される。
【０１２５】
上勾配トラフ受け本体８５において、第１載置板体７１は、図３６乃至図４１に示すように、例えば、複数（一対）の載置平板９３，９４を有して構成される。
【０１２６】
上勾配トラフ受け本体８５において、各載置平板９３，９４は、図３６乃至図４１に示すように、載置板幅Ｈ８を有する板状に形成される。各載置平板９３，９４は、一対の載置板平面９３Ａ，９４Ａ，９３Ｂ，９４Ｂを有し、一方の載置板平面９３Ａ，９４Ａを第１載置平面７１Ａとする。
各載置平板９３，９４は、各載置平板９３，９４の載置板幅方向ＨＷの一方の載置板幅端９３ａ，９４ａ（載置板幅端面）を対向（対峙）して平行に配置される。各載置平板９３，９４は、一方の載置板幅端９３ａ，９４ａの間に載置板幅間隔ＨＱを隔てて平行に配置される。
【０１２７】
上勾配トラフ受け本体８５において、各載置平板９３，９４は、図３８乃至図４０に示すように、他方の載置板平面９３Ｂ，９４Ｂを第１及び第２底平板６１，６２の一方の底板平面６１Ａ，６２Ａに当接して平行に配置される。各載置平板９３，９４は、第１及び第２底平板６１，６２に固定される。
各載置平板９３，９４は、図４１に示すように、載置板幅方向ＨＸの載置板幅中心線ｗを第１及び第２底平板６１，６２の底板幅中心線ｍに直交して、第１及び第２底平板６１，６２の間に延在されて、第１及び第２底平板６１，６２の間に配置される。各載置平板９３，９４は、図４１に示すように、載置板幅方向ＨＸ（Ｙ方向）の他方の載置板幅端９３ｂ，９４ｂの間に面幅ＦＪを有して、一方の各載置板平面９３Ａ，９４Ａにて第１載置平面７１Ａを構成する。
【０１２８】
上勾配トラフ受け本体８５において、載置平板９３は、図４１に示すように、第１及び第２底平板６１，６２の底板長さ端６１ｃ，６２ｃに底板長さ間隔ＬＱを隔てて配置される。載置平板９４は、図４１に示すように、第１及び第２底平板の他方の底板長さ端６１ｄ，６２ｄに底板長さ間隔ＬＱを隔てて配置される。
これにより、第１及び第２底平板６１，６２は、底板長さ方向ＬＷにおいて、各載置平板９３，９４の載置板幅方向ＨＸの他方の載置板幅端９３ｂ，９４ｂから突出して配置される。
【０１２９】
上勾配トラフ受け本体８５において、第１及び第２側板７５，７６は、図３６乃至図４１、図４３及び図４４に示すように、各載置平板９３，９４の他方の載置板幅端９３ｂ，９４ｂに配置されて、各載置平板９３，９４と一体に形成される。第１及び第２側板７５，７６は、一方の載置板平面９３Ａ，９４Ａと直交する方向（Ｚ方向）において、一方の各載置板平面９３Ａ，９４Ａから突出して各載置平板９３，９４に立設される。第１及び第２側板７５，７６は、底板幅方向ＨＷにおいて、各載置平板９３，９４の他方の載置板幅端９３ｂ，９４ｂに沿って第１及び第２底平板６１，６２の間に延在される。
【０１３０】
上勾配トラフ受け本体８５において、第１及び第２連結平板８１，８１は、図３６乃至図４０、図４２及び図４３で説明したと同様に、第１底板平面６１に配置される。
【０１３１】
上勾配トラフ受け本体８５において、第１傾斜載置板体８８は、図３６乃至図３９、図４１及び図４４に示すように、例えば、複数（一対）の第１及び第２傾斜載置平板９５，９６を有して構成される。
【０１３２】
上勾配トラフ受け本体８５において、第１及び第２傾斜載置平板９５，９６は、図４１に示すように、載置板幅Ｈ８を有する板状に形成される。第１及び第２傾斜載置平板９５，９６は、一対の載置板平面９５Ａ，９６Ａ，９５Ｂ，９６Ｂを有し、一方の載置板平面９５Ａ，９６Ａを第３載置平面７３Ａの一部とする。
第１及び第２傾斜載置平板９５，９６は、図３８及び図４１に示すように、各傾斜載置平板９５，９６の載置板方向ＨＷの一方の載置板幅端９５ａ，９６ａ（載置板幅端面）を対向（対峙）して平行に配置される。第１及び第２傾斜載置平板９５，９６は、一方の載置板幅端９５ａ，９６ａの間に載置幅間隔ＨＱを隔てて平行に配置される。
【０１３３】
上勾配トラフ受け本体８５において、第１及び第２傾斜載置平板９５，９６は、図４４に示すように、他方の載置板平面９５Ｂ，９６Ｂを第１傾斜底平板８７の一方の底板平面８７Ａに当接して平行に配置される。第１及び第２傾斜載置平板９５，９６は、第２底平板６２の一方の底板平面６２Ａと直交する一方向（図３８の反時計回り方向／上方向）において、一方の底板平面６２Ａに対して勾配角度θＹで傾斜されて、第１傾斜底平板８７に固定される。
第１及び第２傾斜載置平板９５，９６は、第２底平板６２の一方の底板平面６２Ａに対して勾配角度θＹで傾斜しつつ、第２底平板６２及び第１傾斜底平板８７の間に配置される。
第１及び第２傾斜載置平板９５，９６は、載置板幅方向ＨＸの他方の載置板幅端９５ｂ，９６ｂの間に面幅ＦＪを有して、一方の載置板平面９５Ａ，９６Ａにて第３載置平面７３Ａの一部を構成する。
【０１３４】
上勾配トラフ受け本体８５において、第１及び第２傾斜側板８９，９０は、図３６乃至図３９、図４１及び図４４に示すように、第１及び第２傾斜載置平板９５，９６の他方の載置板幅端９５ｂ，９６ｂに配置されて、第１及び第２傾斜載置平板９５，９６と一体に形成される。第１及び第２傾斜側板８９，９０は、第１及び第２傾斜載置平板９５，９６の一方の載置板平面９５Ａ，９６Ａと直交する方向において、一方の載置板平面９５Ａ，９６Ａから突出して載置板平面９５Ａ，９６Ａ（第１及び第２傾斜載置平板９５，９６）に立設される。第１及び第２傾斜側板８９，９０は、第１及び第２傾斜載置平板９５，９６の傾斜する傾斜方向ＳＱにおいて、第１及び第２傾斜載置平板９５，９６の他方の載置板幅端９５ｂ，９６ｂに沿って第２底平板６２及び第１傾斜底平板８７の間に延在される。
これにより、第１及び第２傾斜側板８９，９０は、第１及び第２側板７５，７６に連続して配置される。
第１傾斜側板８９は、第１側板７５に連結され、第２傾斜側板９０は、第２側板７６に連結される。
これにより、第１傾斜載置板体８８（第３載置板体７３）は、第２底平板６２に固定される。
【０１３５】
上勾配トラフ受け本体８５において、第１及び第２傾斜連結平板９１，９２は、図３６乃至図３９、図４１及び図４４に示すように、第１傾斜底平板８７に配置される。第１傾斜連結平板９１は、第１傾斜底平板８７の他方の底板長さ端８７ｄ（底板長さ端面）及び第２傾斜側板９０（第２傾斜載置平板９６の他方の載置板幅端９６ｂ）の間に配置される。第２傾斜連結平板９２は、第１傾斜底平板８７の一方の底板長さ端８７ｃ（底板長さ端面）及び第１傾斜側板８９（第１傾斜載置平板９５の他方の載置板幅端９５ｂ）の間に配置される。第１及び第２傾斜連結平板９１，９２は、第１傾斜底平板８７の他方の底板幅端８７ｂに配置されて、第１傾斜底平板８７に固定される。第１及び第２傾斜連結平板９１，９２は、一方の連結板平面９１Ａ，９２Ａを底板幅方向ＨＷの他方の底板幅端８７ｂに向け、及び他方の底板幅端８７ｂ（底板幅端面）と面一にして配置される。
第１及び第２傾斜連結平板９，９２は、第１傾斜底平板８７の一方の底板平面８７Ａと直交する方向において、一方の底板平面８７Ａから突出して第１傾斜底平板８７に立設される。
【０１３６】
下勾配トラフ受け本体８６は、図３６乃至図４０、図４３、図４３及び図４５に示すように、第３及び第４底平板６３，６４、第２傾斜底平板１０１、第２載置板体７２、第３及び第４側板７７，７８、第３及び第４連結平板８３，８４、第２傾斜載置板体１０２、第３及び第４傾斜側板１０３，１０４、第３及び第４傾斜連結平板１０５，１０６を備える。
【０１３７】
下勾配トラフ受け本体８６において、第３及び第４底平板６３，６４は、図３６乃至図４５で説明したと同様に、他方の底板幅端６３ｂ及び一方の底板幅端６４ａを対向（対峙）して平行に配置される。
【０１３８】
下勾配トラフ受け本体８６において、第３底平板６３及び第２傾斜底平板１０１は、図４２及び図４３に示すように、第３底平板６３の一方の底板幅端６３ａ、及び第２傾斜底平板１０１の底板幅方向ＨＷの一方の底板幅端１０１ａ（底板幅端面）を対向（対峙）して平行に配置される。第３底平板６３及び第２傾斜底平板１０１は、第３底平板６３の底板幅方向ＨＷにおいて、第３底平板６３の一方の底板幅端６３ａ、及び第１傾斜底平板１０１の一方の底板幅端１０１ａの間に、第４底板幅間隔ＨＶを隔てて配置される。第３底平板６３及び第２傾斜底平板１０１は、第３底平板６３の一方の底板平面６３Ａと直交する他方向（図４３の下方向）において、第３底平板６３の一方の底板幅端６３ａ、及び第２傾斜底平板１０１の一方の底板幅端１０１ａの間に、第２底板高さＬＵを隔てて配置される。
【０１３９】
第３底平板６３及び第２傾斜底平板１０１は、図４３に示すように、一方の底板平面６３Ａ，１０１Ａの間に勾配角度θＹを隔てて配置される、第２傾斜底平板１０１は、第３底平板６３の一方の底板平面６３Ａと直交する他方向（図４３の時計回り方向／下方向）において、第３底平板６３の一方の底板平面６３Ａに勾配角度θＹを隔てて傾斜される。
【０１４０】
下勾配トラフ受け本体８６において、第２載置板体７２は、図３６、図３７、図４０、図４２及び図４３に示すように、例えば、複数（一対）の載置平板１０８，１０９を有して構成される。
【０１４１】
下勾配トラフ受け本体８６において、各載置平板１０８，１０９は、図４２に示すように、載置板幅Ｈ８を有する板状に形成される。各載置平板１０８，１０９は、一対の載置板平面１０８Ａ，１０９Ａ，１０８Ｂ，１０９Ｂを有し、一方の載置平面１０８Ａ，１０９Ａを第２載置平面７２Ａとする。
各載置平板１０８，１０９は、各載置平板１０８，１０９の載置板幅方向ＨＷの一方の載置板幅端１０８ａ，１０９ａ（載置板幅端面）を対向（対峙）して平行に配置される。各載置平板１０８，１０９は、一方の載置板幅端１０８ａ，１０９ａの間に載置板幅間ＨＱを隔てて平行に配置される。
【０１４２】
下勾配トラフ受け本体８６において、各載置平板１０８，１０９は、図３８及び図４０に示すように、他方の載置板平面１０８Ｂ，１０９Ｂを第３及び第４底平板６３，６４の一方の底板平面６３Ａ，６４Ａに当接して平行に配置される。各載置平板１０８，１０９は、第３及び第４底平板６３，６４に固定される。
各載置平板１０８，１０９は、載置板方向ＨＸの載置板幅中心線ｖを第３及び第４底平板６３，６４の底板幅中心線ｎに直交して、第３及び第４底平板６３，６４の間に延在されて、第３及び第４底平板６３，６３の間に配置される。各載置平板１０８，１０９は、図４２に示すように、載置板幅方向ＨＷ（Ｙ方向）の他方の載置板幅端１０８ｂ，１０９ｂの間に面幅ＦＪを有して、一方の各載置平面１０８Ａ，１０９Ａにて第２載置平面７２Ａを構成する。
【０１４３】
下勾配トラフ受け本体８６において、載置平板１０８は、図４２に示すように、第３及び第３底平板６３，６４の底板長さ端６３ｃ，６４ｃに底板長さ間隔ＬＱを隔てて配置される。載置平板１０９は、図４２に示すように、第３及び第４底平板６３，６４の他方の底板長さ端６３ｄ，６４ｄに底板長さ間隔ＬＱを隔てて配置される。
これにより、第３及び第４底平板６３，６４は、底板長さ方向ＬＷにおいて、各載置平板１０８，１０９の載置板幅方向ＨＸの他方の載置板幅端１０８ｂ，１０９ｂから突出して配置される。
【０１４４】
下勾配トラフ受け本体８６において、第３及び第４側板７７，７８は、図３６乃至図４０、図４２及び図４３に示すように、各載置平板１０８，１０９の他方の載置板幅端１０８ｂ，１０９ｂに配置されて、各載置平板１０８，１０９と一体に形成される。第３及び第４側板７７，７８は、一方の載置板平面１０８Ａ，１０９Ａと直交する方向（Ｚ方向）において、一方の各載置板平面１０８Ａ，１０９Ａから突出して各載置平板１０８，１０９に立設される。第３及び第４側板７７，７８は、底板幅方向ＨＷにおいて、各載置平板１０８，１０９の他方の載置板幅端１０８ａ，１０９ａに沿って第３及び第４底平板６３，６４の間に延在される。
【０１４５】
下勾配トラフ受け本体８６において、第３及び第４連結平板８３，８４は、図３６乃至図４０、図４２及び図４３で説明したと同様に、第４底平板６４に配置される。
【０１４６】
下勾配トラフ受け本体８６において、第２傾斜載置板体１０２は、図３６乃至図３８、図４１及び図４３に示すように、例えば、複数（一対）の第３及び第４傾斜載置平板１１１，１１２を有して構成される。
【０１４７】
下勾配トラフ受け本体８６において、第３及び第４傾斜載置平板１１１，１１２は、図４２に示すように、載置板幅Ｈ８を有する板状に形成される。第３及び第４傾斜載置平板１１１，１１２は、一対の載置板平面１１１Ａ，１１２Ａ，１１１Ｂ，１１２Ｂを有し、一方の載置板平面１１１Ａ，１１２Ａを第３載置平面７３Ａの一部とする。
【０１４８】
第３及び第４傾斜載置平板１１１，１１２は、図４２に示すように、各載置平板１１１，１１２の載置板幅方向ＨＷの一方の載置板幅端１１１ａ，１１２ａ（載置板幅端面）を対向（対峙）して平行に配置される。第３及び第４傾斜載置平板１１１，１１２は、一方の載置板幅端１１１ａ，１１２ａの間に載置幅間隔ＨＱを隔てて平行に配置される。
【０１４９】
下勾配トラフ受け本体８６において、第３及び第４傾斜載置平板１１１，１１２は、図４３及び図４５に示すように、他方の載置板平面１１１Ｂ，１１２Ｂを第２傾斜底平板１０１の一方の板平面１０１Ａに当接して平行に配置される。第３及び第４傾斜載置平板１１１，１１２は、第３底平板６３の一方の底板平面６３Ａに対して勾配角度θYで傾斜されて、第２傾斜底平板１０１に固定される。
第３及び第４傾斜載置平板１１１，１１２は、第３底平板６３の一方の底板平面６３Ａと直交する他方向（図４３の時計回り方向／下方向）において、一方の底板平面６３Ａに対して勾配角度θＹで傾斜しつつ、第３底平板６３及び第２傾斜底平板１０１の間に配置される。
第３及び第４傾斜載置平板１１１，１１２は、載置板幅方向ＨＸの他方の載置板幅端１１１ｂ，１１２ｂの間に面幅ＦＪを有して、一方の載置板平面１１１Ａ，１１２Ａにて第３載置平面７３Ａの一部を構成する。
【０１５０】
下勾配トラフ受け本体８６において、第３及び第４傾斜側板１０３，１０４は、図３６、図３７、図３９、図４３及び図４５に示すように、第３及び第４傾斜載置平板の他方の載置板幅端１１１ｂ，１１２ｂに配置されて、第３及び第４傾斜載置平板１１１，１１２と一体に形成される。第３及び第４傾斜側板１０３，１０４は、第３及び第４傾斜載置平板１１１，１１２の一方の載置板平面１１１Ａ，１１２Ａから突出して各載置板平面１１１Ａ，１１２Ａ（第３及び第４傾斜載置平板１１１，１１２）に立設される。第３及第４傾斜側板１０３，１０４は、第３及び第４傾斜載置平板１１１，１１２の傾斜する傾斜方向ＳＰにおいて、第３及び第４傾斜載置平板１１１，１１２の他方の載置板幅端１１１ｂ，１１２ｂに沿って第３底平板６３及び第２傾斜底平板１０１の間に延在される。
これにより、第３及び第４傾斜側板１０３，１０４は、第３及び第４側板７７，７８に連続して配置される。
第３傾斜側板１０３は、第３側板７７に連結され、第４傾斜側板１０４は、第４側板７８に連結される。
これにより、第２傾斜載置板体１０２（第３載置板体７３）は、第３底平板６３に固定される。
【０１５１】
下勾配トラフ受け本体８６において、第３及び第４傾斜連結平板１０５，１０６は、図３６、図３７、図３９、図４２及び図４５に示すように、第２傾斜底平板１０１に配置される。第３傾斜連結平板１０５は、第２傾斜底平板１０１の他方の底板長さ端１０１ｂ（底板長さ端面）及び第４傾斜側板１０４（第４傾斜載置平板１１２）の間に配置される。第４傾斜連結平板１０６は、第２傾斜底平板１０１の一方の底板長さ端１０１ａ（底板長さ端面）及び第３傾斜側板１０３（第３傾斜載置平板１１１）の間に配置される。第３及び第４傾斜連結平板１０５，１０６は、第２傾斜底平板１０１の他方の底板幅端１０１ｂに配置されて、第２傾斜底平板１０１に固定される。第３及び第４傾斜連結平板１０５，１０６は、一方の連結板平面１０５Ａ，１０６Ａを底板幅方向ＨＷの他方の底板幅端１０１ｂに向けて、他方の底板幅端１０１ｂ（底板幅端面）と面一にして配置される。
第３及び第４傾斜連結平板１０５，１０６は、第２傾斜底平板１０１の一方の底板平面１０１Ａと直交する方向において、一方の底板平面１０１Ａから突出して第２傾斜底平板１０１に立設される。
【０１５２】
トラフ受け台Ｘ４は、図３６乃至図４３に示すように、上勾配トラフ受け本体８５及び下勾配トラフ受け本体８６を連結して構成される。
【０１５３】
上勾配トラフ受け本体８５及び下勾配トラフ受け本体８６は、図４２、図４４及び図４５に示すように、第１傾斜連結平板９１の一方の連結板平面９１Ａと第３傾斜連結平板１０５の一方の連結板平面１０５Ａを当接し、及び第２傾斜連結平板９２の一方の連結板平面９２Ａと下勾配トラフ受け本体８６の第４傾斜連結平板１０６の一方の連結板平面１０６Ａを当接して配置される。
【０１５４】
上勾配トラフ受け本体８５は、図３６及び図３７に示すように、第１傾斜側板８９を下勾配トラフ受け本体８６の第３傾斜側板１０３に連続し、及び第２傾斜側板９０を下勾配トラフ受け本体８６の第４傾斜側板１０４に連続して配置される。
これにより、第１傾斜側板８９及び第３傾斜側板１０３は、第５側板７９を構成（形成）する。
【０１５５】
上勾配トラフ受け本体８５は、図３６及び図３７に示すように、第１傾斜載置平板９５を下勾配トラフ受け本体８６の第３傾斜載置平板１１１に連続し、及び第２傾斜載置平板９６を下勾配トラフ受け本体８６の第４傾斜載置平板１１２に連続して配置される。上勾配トラフ受け本体８５は、第１及び２傾斜載置平板９５，９６の一方の載置板平面９５Ａ，９６Ａを、下勾配トラフ受け本体８６の第３及び第４傾斜載置平板１１１，１１２の一方の載置平面１１１Ａ，１１２Ａと同一平面に位置して配置される。
これにより、第１乃至第４傾斜載置平板９５，９６，１１１，１１２の一方の載置板平面９５Ａ，９６Ａ，１１１Ａ，１１２Ａは、第３載置平面７３Ａを構成（形成）する。
【０１５６】
上勾配トラフ受け本体８５、及び下勾配トラフ受け本体８６は、図３６及び図３７に示すように、第１乃至第４傾斜載置平板９５，９６，１１１，１１２の一方の載置板平面９５Ａ，９６Ａ，１１１Ａ，１１２Ａを同一平面に配置した状態において、複数（一対）のボルト／ナット１１５で連結される。
上勾配トラフ受け本体８５、及び下勾配トラフ受け本体８６は、第１及び第３傾斜連結平板９１，１０５をボルト／ナット１１５にて締結し、第２及び第４傾斜連結平板９０，１０６をボルト／ナット１１５にて締結して連結される。
【０１５７】
トラフ受け台Ｘ４は、図４６乃至図４８に示すように、勾配ケーブルトラフＹ４を第１乃至第４載置平面７１Ａ，７２Ａ，７３Ａ（各載置板平面９３Ａ，９４Ａ、９５Ａ，９６Ａ，１０８Ａ，１０９Ａ，１１１Ａ，１１２Ａ）に載置して、勾配ケーブルトラスＹ４を支持する。
【０１５８】
トラフ受け台Ｘ４は、図４６乃至図４８に示すように、第１直線トラフ部１４１を第１及び第２側板７５，７６の間に位置して、第１直線トラフ部１４１を第１載置平面７１Ａ（上勾配トラフ受け本体８５の各載置板平面９３Ａ，９４Ａ）に載置する。第１直線トラフ部１４１は、トラフ幅方向ＣＥの各トラフ側面１４１Ａ，１４１Ｂを第１及び第２側板７５，７６に向けて、第１及び第２側板７５，７６の間に配置されて、第１載置平面７１Ａ（上勾配トラフ受け本体８５の各載置板平面９３Ａ，９４Ａ／各載置平板９３，９４）に載置される。
トラフ受け台Ｘ４は、第１直線トラフ部１４１のトラフ底面１４１Ｃを第１載置平面７１Ａ（上勾配トラフ受け本体８５の各載置板平面９３Ａ，９４Ａ）に当接して、第１直線トラフ部１４１を第１載置平面７１Ａ（第１載置板体７１／各載置平板９３，９４）に載置する。
【０１５９】
トラフ受け台Ｘ４は、図４６乃至図４８に示すように、勾配トラフ部１４３を第５及び第６側板７９，８０（第１乃至第４傾斜側板８９，９０，１０３，１０４）の間に位置して、勾配トラフ部１４３を第３載置平面７３Ａ（各載置板平面９５Ａ，９６Ａ，１１１Ａ，１１２Ａ／第１乃至第４傾斜載置平板９５，９６，１１１，１１２）に載置する。勾配トラフ部１４３は、トラフ幅方向ＣＥの各側面１４３Ａ，１４３Ｂを第５及び第６側板７９，８０に向けて、第５及び第６側板７９，８０の間に配置されて、第３載置平面７３Ａ（第３載置板体７３）に載置される。
トラフ受け台Ｘ４は、図４６乃至図４８に示すように、勾配トラフ部１４３のトラフ底面１４３Ｃを第３載置平面７３Ａ（各載置板平面９５Ａ，９６Ａ，１１１Ａ，１１２Ａ）に当接して、勾配トラフ部１４３を第３載置平面７３Ａ（第３載置板体７３／第１乃至第４傾斜載置平板９５，９６，１１１，１１２）に載置する。
【０１６０】
トラフ受け台Ｘ４は、図４６乃至図４８に示すように、第２直線トラフ部１４２を第３及び第４側板７７，７８の間に位置して、第２直線トラフ部１４２を第２載置平面７２Ａ（下勾配トラフ受け本体８６の各載置板平面１０８Ａ，１０９Ａ／各載置平板１０８，１０９）に載置する。第２直線トラフ部１４２は、トラフ幅方向ＣＥの各側面１４２Ａ，１４２Ｂを第３及び第４側板７７，７８に向けて、第３及び第４側板７７，７８の間に配置されて、第２載置平面７２Ａ（第２載置板体７２／各載置平板１０８，１０９）に載置される。
トラフ受け台Ｘ４は、第２直線トラフ部１２４のトラフ底面１４２Ｃを第２載置平面７２Ａ（各載置板平面１０８Ａ，１０９Ａ）に当接して、第２直線トラフ部１４２を第２載置平面７２Ａ（第２載置板体７２／各載置平板９３，９４）に載置する。
【０１６１】
トラフ受け台Ｘ４は、図４６乃至図４８に示すように、第１及び第２直線トラフ部１４１，１４２の他方のトラフ長さ端１４１ｂ，１４２ｂ（トラフ長さ端面）を第１及び第４底平板６１，６４の他方の底板幅端６１ｂ，６４ｂ（底板幅端面）に面一に配置して、第１直線トラフ部１４１を第１載置平面７１Ａ（第１載置板体７１／各載置平板９３，９４）に載置し、勾配トラフ部１４３を第３載置平面７３Ａ（第３載置板体７３／各載置平板９５，９６，１１１，１１２）に載置し、及び第２直線トラフ部１４２を第２載置平面７２Ａ（第２載置板体７２／各載置平板１０８，１０９）に載置する。
【０１６２】
図４９乃至図５３において、トラフ受け台Ｘ４（勾配トラフ受け台）は、複数のトラフ支持器具Ｚ、複数の長尺の直線トラフ受け台ＸＳと共に、複数の長尺の直線ケーブルトラフＹＳ及び勾配ケーブルトラフＹ４を敷設箇所ＳＯに敷設するために使用される。
敷設箇所ＳＯは、図５０に示すように、低い地面ＳＯ１、底地面ＳＯ２から勾配角度θＹで傾斜する斜面ＳＯ２、及び斜面ＳＯ２に続く高い地面ＳＯ３で形成される。
【０１６３】
複数のトラフ支持器具Ｚは、図４９及び図５０に示すように、低い地面ＳＯ１から斜面ＳＯ２、高い地面ＳＯ３に続く直線Ｌｑ上に各トラフ支持器具に間隔を隔てて、斜面ＳＯ２を除く低い地面ＳＯ１及び高い地面ＳＯ３に並設して設置されて、敷設箇所ＳＯの低い地面ＳＯ１及び高い地面ＳＯ３に固定される。
【０１６４】
各直線トラフ受け台ＸＳは、図４９及び図５０に示すように、低い地面ＳＯ１に設置された各トラフ支持器具Ｚの上に載置され、及び高い地面ＳＯ３に設置された各トラフ支持器具Ｚの上に設置されて、直線Ｌｑの方向に延在して配置される。各直線トラフ受け台Ｘ２は、各トラフ支持器具Ｚに架設され、各トラフ支持器具Ｚで支持されて、各トラフ支持器具Ｚにボルト／ナットで固定される。
【０１６５】
トラフ受け台Ｘ４は、図４９及び図５０に示すように、第１及び第４底平板６１，６４を各直線トラフ受け台ＸＳの一方のトラフ長さ端Ｚａ，Ｚａに隣接して、斜面ＳＯ２に沿って各直線トラフ受け台ＸＳの間に配置される。
トラフ受け台Ｘ４は、図４９及び図５０に示すように、第１及び第２連結平板８１，８２を低い地面ＳＯ１側の直線トラフ受け台ＸＳのトラフ長さ端Ｚａの各連結平板ＰＬ，ＰＬに当接して、各連結平板８１，８２，ＰＬ，ＰＬをボルト／ナットで締付けて、低い地面ＳＯ１側の直線トラフ受け台ＸＳに連結される。トラフ受け台Ｘ４は、第３及び第４連結平板８３，８４を高い地面ＳＯ３側の直線トラフ受け台ＸＳのトラフ長さ端Ｚａの各連結平板ＰＬ，ＰＬに当接して、各連結平板８３，８４，ＰＬ，ＰＬをボルト／ナットで締付けて、高い地面ＳＯ３側の直線トラフ受け台ＸＳに連結される。
【０１６６】
各直線ケーブルトラフＹＳは、図５１乃至図５３に示すように、各直線トラフ受け台ＸＳの載置平面Ｕに載置されて、各直線トラフ受け台ＸＳに支持される。
【０１６７】
勾配ケーブルトラフＹ４は、図４６乃至図４８で説明したと同様に、トラフ受け台Ｘ４の第１乃至第３載置平面７１Ａ，７２Ａ，７３Ａ（各載置板平面９３Ａ，９４Ａ，９５Ａ，９６Ａ，１１１Ａ，１１２Ａ，１０８Ａ，１０９Ａ）に載置されて、トラフ受け台Ｘ４に支持される（図５１乃至図５３参照）。
トラフ受け台Ｘ４で支持した勾配ケーブルトラフＹ４は、各直線トラフ受け台ＸＳで支持した各直線ケーブルトラフＹＳに連結される。
これにより、各直線ケーブルトラフＹＳ、及び勾配ケーブルトラフＹ４を連結して、敷設箇所ＳＯに敷設する。
連結した各直線ケーブルトラフＹＳ、及び勾配ケーブルトラフＹ４内には、ケーブル（図示しない）が収納される。ケーブルは、例えば、低い地面ＳＯ１側の直線ケーブルトラフＹＳから勾配ケーブルトラフＹ４内に挿入され、勾配角度θＹで傾斜されて、高い地面ＳＯ３側の直線ケーブルトラフＹＳ内に挿入される。
【産業上の利用可能性】
【０１６８】
本考案は、ケーブルトラフを支持するのに最適である。
【符号の説明】
【０１６９】
Ｘ１  トラフ受け台
２，３  底平板
２ａ，３ａ  一方の底板幅端（底板幅端面）
２ｂ，３ｂ  他方の底板幅端（底板幅端面）
ＨＰ  底板幅間隔
４  載置板体
４Ａ  載置平面（一方の板平面）
ＦＨ  面幅
ｆａ，ｆｂ  面幅端
ＨＷ  底板幅方向
ＬＷ  底板長さ方向
５  側板
Ｙ１  Ｔ字分岐ケーブルトラフ
１０１  短尺の横直線トラフ部
１２２  縦直線トラフ部
ＣＢ  短尺のトラフ幅方向
１２１Ａ  一方のトラフ側面
【図１】
0003232717.tif 000003
【図２】
0003232717.tif 000004
【図３】
0003232717.tif 000005
【図４】
0003232717.tif 000006
【図５】
0003232717.tif 000007
【図６】
0003232717.tif 000008
【図７】
0003232717.tif 000009
【図８】
0003232717.tif 000010
【図９】
0003232717.tif 000011
【図１０】
0003232717.tif 000012
【図１１】
0003232717.tif 000013
【図１２】
0003232717.tif 000014
【図１３】
0003232717.tif 000015
【図１４】
0003232717.tif 000016
【図１５】
0003232717.tif 000017
【図１６】
0003232717.tif 000018
【図１７】
0003232717.tif 000019
【図１８】
0003232717.tif 000020
【図１９】
0003232717.tif 000021
【図２０】
0003232717.tif 000022
【図２１】
0003232717.tif 000023
【図２２】
0003232717.tif 000024
【図２３】
0003232717.tif 000025
【図２４】
0003232717.tif 000026
【図２５】
0003232717.tif 000027
【図２６】
0003232717.tif 000028
【図２７】
0003232717.tif 000029
【図２８】
0003232717.tif 000030
【図２９】
0003232717.tif 000031
【図３０】
0003232717.tif 000032
【図３１】
0003232717.tif 000033
【図３２】
0003232717.tif 000034
【図３３】
0003232717.tif 000035
【図３４】
0003232717.tif 000036
【図３５】
0003232717.tif 000037
【図３６】
0003232717.tif 000038
【図３７】
0003232717.tif 000039
【図３８】
0003232717.tif 000040
【図３９】
0003232717.tif 000041
【図４０】
0003232717.tif 000042
【図４１】
0003232717.tif 000043
【図４２】
0003232717.tif 000044
【図４３】
0003232717.tif 000045
【図４４】
0003232717.tif 000046
【図４５】
0003232717.tif 000047
【図４６】
0003232717.tif 000048
【図４７】
0003232717.tif 000049
【図４８】
0003232717.tif 000050
【図４９】
0003232717.tif 000051
【図５０】
0003232717.tif 000052
【図５１】
0003232717.tif 000053
【図５２】
0003232717.tif 000054
【図５３】
0003232717.tif 000055